(57)【要約】      （修正有）【課題】ネットワーク上のジョブを、機密を確保しつつ、その利用性を向上させる画像処理システムを提供する。【解決手段】画像形成システム１は、ネットワーク識別情報を付加した印刷ジョブをプリントサービス装置ＰＳへ送信するクライアント端末ＣＬａ、ＣＬｂと、印刷ジョブを一意に識別する第１のジョブ識別情報と、情報処理ネットワーク識別情報を含む印刷ジョブ識別情報であって第１のジョブ識別情報よりも短い第２のジョブ識別情報と、を生成して印刷ジョブに付加した状態で蓄積するプリントサービス装置と、画像形成装置Ｇｋと、を備える。プリントサービス装置は、画像形成装置からジョブ識別情報と画像形成装置のネットワーク識別情報とを付加した印刷要求があると、ジョブ識別情報とネットワーク識別情報とに基づいて、蓄積している印刷ジョブから印刷要求に対応する印刷ジョブを選択して、画像形成装置へ送信する。【選択図】図１
2017130124.tif 000002
【特許請求の範囲】
【請求項１】
ジョブを送信する情報処理装置と、前記ジョブを管理するジョブ管理装置と、前記ジョブ管理装置から前記ジョブを取得して実行する画像処理装置が、それぞれ適宜のネットワークに接続されている画像処理システムであって、
前記情報処理装置は、
前記ジョブ管理装置と通信する情報通信手段と、
自機の接続されているネットワークを識別する情報処理ネットワーク識別情報を取得する情報処理ネットワーク識別情報取得手段と、
前記情報処理ネットワーク識別情報と、前記ジョブとを含む蓄積要求を前記情報通信手段に前記ジョブ管理装置へ送信させる蓄積要求送信手段と、
情報を出力する情報出力手段と、
前記情報通信手段が、前記ジョブ管理装置へ送信した前記ジョブを識別するためのジョブ識別情報を該ジョブ管理装置から受信すると、該ジョブ識別情報を前記情報出力手段に出力させる情報出力制御手段と、
を備え、
前記ジョブ管理装置は、
前記情報処理装置及び前記画像処理装置と通信する管理通信手段と、
データを蓄積するデータ蓄積手段と、
前記管理通信手段が前記ジョブを前記情報処理装置から受信すると、該ジョブを前記データ蓄積手段へ蓄積する蓄積制御手段と、
前記ジョブを識別する第１のジョブ識別情報と、前記情報処理ネットワーク識別情報と組み合わされて該ジョブを識別する第２のジョブ識別情報と、を生成する識別情報生成手段と、
前記第１のジョブ識別情報と前記第２のジョブ識別情報を前記管理通信手段に前記ジョブを送信してきた前記情報処理装置へ送信させる識別情報管理手段と、
前記管理通信手段が前記画像処理装置から該画像処理装置の接続されているネットワークを識別する画像処理ネットワーク識別情報と前記ジョブを識別するジョブ識別情報を含む実行要求を受信すると、該ジョブ識別情報が前記第１のジョブ識別情報と前記第２のジョブ識別情報のいずれであるかを判別し、該ジョブ識別情報または該ジョブ識別情報と該画像処理ネットワーク識別情報及び前記蓄積要求において前記ジョブに対応する前記情報処理ネットワーク識別情報に基づいて前記データ蓄積手段から該実行要求で指定されているジョブを選択するジョブ選択手段と、
選択された前記ジョブを前記管理通信手段に、該ジョブを要求してきた前記画像処理装置へ送信させるジョブ送信手段と、
を備え、
前記画像処理装置は、
前記ジョブ管理装置と通信する画像処理通信手段と、
自機の接続されているネットワークを識別する画像処理ネットワーク識別情報を取得する画像処理ネットワーク識別情報取得手段と、
情報を入力する情報入力手段と、
前記情報入力手段から実行対象のジョブを識別するジョブ識別情報を伴う実行要求が入力されると、該ジョブ識別情報と前記画像処理ネットワーク識別情報とを含む実行要求を前記画像処理通信手段に前記ジョブ管理装置へ送信させる実行要求送信手段と、
前記画像処理通信手段が前記ジョブを前記ジョブ管理装置から受信すると、該ジョブを実行するジョブ実行手段と、
を備えていることを特徴とする画像処理システム。
【請求項２】
前記識別情報生成手段は、
予め設定されている前記情報処理ネットワーク識別情報に基づいて、前記第２のジョブ識別情報の生成の可否を制御することを特徴とする請求項１記載の画像処理システム。
【請求項３】
前記情報処理装置は、
情報を入力する入力手段を、
さらに備え、
前記情報付加手段は、
前記入力手段から入力されたネットワーク識別情報をジョブ実行許可情報として前記ジョブに付加し、
前記ジョブ管理装置は、
前記識別情報管理手段が、
前記ネットワーク識別情報を前記第２のジョブ識別情報と対応させて管理し、
前記ジョブ選択手段が、
前記画像処理装置から前記画像処理ネットワーク識別情報とジョブ識別情報の付加された実行要求を前記管理通信手段が受信すると、該実行要求で要求されている前記ジョブの前記第２のジョブ識別情報に対応する前記ネットワーク識別情報が、該ジョブに付加されている前記ジョブ実行許可情報のネットワーク識別情報と一致するときのみ、該ジョブを選択することを特徴とする請求項１または請求項２記載の画像処理システム。
【請求項４】
前記識別情報生成手段は、
前記ジョブに付加されている前記情報処理ネットワーク識別情報が、所定種類の識別情報以外であると、前記第１の識別情報のみを生成することを特徴とする請求項１から請求項３のいずれかに記載の画像処理システム。
【請求項５】
前記画像処理システムは、
前記ジョブを蓄積する蓄積装置を、
さらに備え、
前記情報処理装置は、
前記送信制御手段が、
自装置の接続されているネットワークに前記蓄積装置が接続されていると、該蓄積装置へ前記ジョブを送信し、
前記画像処理装置は、
前記実行要求送信手段が、
自装置の接続されているネットワークに前記蓄積装置が接続されていると、該蓄積装置へ前記実行要求を送信し、
前記ジョブ管理装置は、
前記管理通信手段が前記蓄積装置からジョブを受信すると、前記識別情報生成手段が該ジョブに対して前記第１のジョブ識別情報と前記第２のジョブ識別情報を生成し、前記識別情報管理手段が、該ジョブに第１のジョブ識別情報と該第２のジョブ識別情報を付加して、該蓄積装置へ該管理通信手段に送信させ、
前記蓄積装置は、
前記情報処理装置、前記ジョブ管理装置及び前記画像処理装置と通信する蓄積通信手段と、
前記情報処理装置から前記ネットワーク識別情報の付加された前記ジョブを前記蓄積通信手段が受信すると、該ジョブを、該蓄積通信手段を介して前記ジョブ管理装置へ送信し、該ジョブ管理装置から前記ジョブ識別情報の付与された該ジョブを該蓄積通信手段が受信すると、該ジョブ識別情報を、該ジョブを送信してきた該情報処理装置へ該蓄積通信手段に送信させる転送手段と、
前記ジョブを蓄積するジョブ蓄積手段と、
前記ジョブ管理装置から前記ジョブ識別情報の付与された前記ジョブを前記蓄積通信手段が受信すると、該ジョブを前記ジョブ蓄積手段へ蓄積させるジョブ蓄積制御部と、
前記蓄積通信手段が前記画像処理装置から前記画像処理ネットワーク識別情報と前記ジョブ識別情報の付加された実行要求を受信すると、該ジョブ識別情報が前記第１のジョブ識別情報と前記第２のジョブ識別情報のいずれであるかを判別し、該ジョブ識別情報または該ジョブ識別情報と該画像処理ネットワーク識別情報及び前記ジョブに付加されている前記情報処理ネットワーク識別情報に基づいて前記ジョブ蓄積手段から該実行要求で指定されているジョブを選択する蓄積ジョブ選択手段と、
選択された前記ジョブを前記蓄積通信手段に前記画像処理装置へ送信させる蓄積ジョブ送信手段と、
を備えていることを特徴とする請求項１から請求項4のいずれかに記載の画像処理システム。
【請求項６】
前記蓄積装置は、
前記ジョブ蓄積制御部が、
前記ジョブ蓄積手段に蓄積した前記ジョブの蓄積時間を管理し、蓄積時間が所定の蓄積限度時間に到達すると、該ジョブを該ジョブ蓄積手段から削除することを特徴とする請求項５記載の画像処理システム。
【請求項７】
前記画像処理装置は、
前記実行要求送信手段が、
前記画像処理通信手段に、前記実行要求を自装置が接続されているネットワークに接続されている前記蓄積装置へ送信させ、該蓄積装置に実行要求に係る前記ジョブが不存在であると、該実行要求を前記ジョブ管理装置へ送信させることを特徴とする請求項５または請求項６記載の画像処理システム。
【請求項８】
前記情報処理装置は、
前記入力手段により前記ジョブの前記蓄積装置への蓄積を拒否する非蓄積操作が行われると、前記情報付加手段が、該ジョブの該蓄積装置への非蓄積を示す非蓄積情報を該ジョブに付加し、
前記ジョブ管理装置は、
前記識別情報管理手段が、
前記非蓄積情報の付加された前記ジョブに対しては、該ジョブの前記蓄積装置への送信を中止することを特徴とする請求項５から請求項７のいずれかに記載の画像処理システム。
【請求項９】
前記情報処理装置は、
前記入力手段で、前記ジョブを実行させる前記画像処理装置が指定されると、前記情報付加手段が、指定されている実行先の前記画像処理装置の接続されているネットワークの前記画像処理ネットワーク識別情報を該ジョブに付加し、
前記ジョブ管理装置は、
前記蓄積装置から送られてきた前記ジョブに前記画像処理ネットワーク識別情報が付与されていると、前記識別情報管理手段が、前記第１のジョブ識別情報と前記第２のジョブ識別情報の付加された該ジョブを、該蓄積装置と該画像処理ネットワーク識別情報の示すネットワークに接続されている前記蓄積装置へ前記管理通信手段に送信させることを特徴とする請求項５から請求項８のいずれかに記載の画像処理システム。
【請求項１０】
前記ジョブ管理装置は、
情報の入力を受け付ける情報受付手段と、
情報の出力を行う情報出力手段と、
を、さらに備え、
前記データ蓄積手段は、
画像処理システムにおいて、利用可能なネットワークのネットワーク識別情報の一覧情報を記憶し、
前記ジョブ蓄積制御部は、
前記ネットワーク識別情報の一覧情報を前記情報出力手段に出力させ、該ネットワーク識別情報の一覧情報に基づいて、前記情報受付手段が受け付けた前記データ蓄積手段に蓄積されている前記ジョブに対するネットワーク識別情報の付与、変更を受け付けると、該受け付け情報に基づいて、該ジョブについてネットワーク識別情報の付加、変更を行うことを特徴とする請求項１から請求項９のいずれかに記載の画像処理システム。
【請求項１１】
前記情報処理装置は、
前記送信制御手段が、
前記ジョブを電子メールで前記情報通信手段に送信させ、
前記ジョブ管理装置は、
前記識別情報生成手段が、
前記電子メールで送信されてきた前記ジョブの該電子メールのドメインに基づいて、前記第１のジョブ識別情報と前記第２のジョブ識別情報を生成することを特徴とする請求項１から請求項１０のいずれかに記載の画像処理システム。
【請求項１２】
前記情報処理装置は、
前記送信制御手段が、
実行先の画像処理装置を宛先メールアドレスとする電子メールで、前記ジョブを前記情報通信手段に送信させ、
前記ジョブ管理装置は、
前記データ蓄積手段が、
ネットワーク識別情報とメールアドレスを対応させて記憶し、
前記識別情報生成手段が、
前記電子メールで送信されてきた前記ジョブの該電子メールの前記宛先メールアドレスに対応するネットワーク識別情報を前記データ蓄積手段から取得し、該ネットワーク識別情報に基づいて、前記第１のジョブ識別情報と前記第２のジョブ識別情報を生成することを特徴とする請求項１から請求項１０のいずれかに記載の画像処理システム。
【請求項１３】
前記蓄積装置は、
前記ジョブ蓄積制御手段が、
所定間隔で、前記蓄積通信手段に前記ジョブ管理装置と通信させ、該ジョブ管理装置の前記データ蓄積手段に格納されている前記ジョブのうち、該蓄積装置の前記ジョブ蓄積手段に非蓄積のジョブを取得することを特徴とする請求項５から請求項１２のいずれかに記載の画像処理システム。
【請求項１４】
前記データ蓄積手段及び前記ジョブ蓄積手段は、
前記ネットワーク識別情報に関連付けて実行条件を記憶し、
前記ジョブ選択手段及び前記蓄積ジョブ選択手段は、
前記データ蓄積手段または前記ジョブ蓄積手段に蓄積されている前記ジョブに対して、該ジョブに付加されている前記ネットワーク識別情報に基づいて実行条件を設定することを特徴とする請求項１から請求項１３のいずれかに記載の画像処理システム。
【請求項１５】
前記データ蓄積手段及び前記ジョブ蓄積手段は、
前記ネットワーク識別情報毎に、前記第１のジョブ識別情報と前記第２の識別情報に対応させてそれぞれ前記実行条件を記憶し、
前記ジョブ選択手段及び前記蓄積ジョブ選択手段は、
前記データ蓄積手段または前記ジョブ蓄積手段に蓄積されている前記ジョブに対して、該ジョブに付加されている前記ネットワーク識別情報と前記第１のジョブ識別情報及び前記第２の識別情報に基づいて実行条件を設定することを特徴とする請求項１から請求項１３のいずれかに記載の画像処理システム。
【請求項１６】
情報処理装置から送られてくる該情報処理装置の接続されているネットワークを識別するネットワーク識別情報の付加されているジョブを蓄積し、画像処理装置からの該ジョブの取得要求に応じてジョブを送信するジョブ管理装置であって、
前記情報処理装置及び前記画像処理装置と通信する管理通信手段と、
データを蓄積するデータ蓄積手段と、
前記管理通信手段が前記ジョブを前記情報処理装置から受信すると、該ジョブを前記データ蓄積手段へ蓄積する蓄積制御手段と、
前記ジョブを識別する第１のジョブ識別情報と、該第１の識別情報よりも短く前記情報処理ネットワーク識別情報と組み合わされて該ジョブを識別する第２のジョブ識別情報と、を生成する識別情報生成手段と、
前記第１のジョブ識別情報と前記第２のジョブ識別情報を前記管理通信手段に前記ジョブを送信してきた前記情報処理装置へ送信させる識別情報管理手段と、
前記管理通信手段が前記画像処理装置から該画像処理装置の接続されているネットワークを識別する画像処理ネットワーク識別情報とジョブ識別情報を含む実行要求を受信すると、該ジョブ識別情報が前記第１のジョブ識別情報と前記第２のジョブ識別情報のいずれであるかを判別し、該ジョブ識別情報または該ジョブ識別情報と該画像処理ネットワーク識別情報及び前記ジョブに付加されている前記情報処理ネットワーク識別情報に基づいて前記データ蓄積手段から該実行要求で指定されているジョブを選択するジョブ選択手段と、
選択された前記ジョブを前記管理通信手段に、該ジョブを要求してきた前記画像処理装置へ送信させるジョブ送信手段と、
を備えていることを特徴とするジョブ管理装置。
【請求項１７】
ジョブを送信する情報処理装置と、前記ジョブを管理するジョブ管理装置と、前記ジョブ管理装置から前記ジョブを取得して実行する画像処理装置が、それぞれ適宜のネットワークに接続されている画像処理システムにおける画像処理方法であって、
前記情報処理装置は、
前記ジョブ管理装置と通信する情報通信処理ステップと、
自機の接続されているネットワークを識別する情報処理ネットワーク識別情報を取得する情報処理ネットワーク識別情報取得処理ステップと、
前記情報処理ネットワーク識別情報と、前記ジョブとを含む蓄積要求を前記情報通信処理ステップで前記ジョブ管理装置へ送信させる蓄積要求送信処理ステップと、
情報を出力する情報出力処理ステップと、
前記情報通信処理ステップで、前記ジョブ管理装置へ送信した前記ジョブを識別するためのジョブ識別情報を該ジョブ管理装置から受信されると、該ジョブ識別情報を前記情報出力処理ステップで出力させる情報出力制御処理ステップと、
を実行し、
前記ジョブ管理装置は、
前記情報処理装置及び前記画像処理装置と通信する管理通信処理ステップと、
データをデータ蓄積手段へ蓄積するデータ蓄積処理ステップと、
前記管理通信処理ステップで前記ジョブを前記情報処理装置から受信すると、該ジョブを前記データ蓄積手段へ蓄積する蓄積制御処理ステップと、
前記ジョブを識別する第１のジョブ識別情報と、前記情報処理ネットワーク識別情報と組み合わされて該ジョブを識別する第２のジョブ識別情報と、を生成する識別情報生成処理ステップと、
前記第１のジョブ識別情報と前記第２のジョブ識別情報を前記管理通信処理ステップで前記ジョブを送信してきた前記情報処理装置へ送信させる識別情報管理処理ステップと、
前記管理通信処理ステップで前記画像処理装置から該画像処理装置の接続されているネットワークを識別する画像処理ネットワーク識別情報と前記ジョブを識別するジョブ識別情報を含む実行要求が受信されると、該ジョブ識別情報が前記第１のジョブ識別情報と前記第２のジョブ識別情報のいずれであるかを判別し、該ジョブ識別情報または該ジョブ識別情報と該画像処理ネットワーク識別情報及び前記蓄積要求において前記ジョブに対応する前記情報処理ネットワーク識別情報に基づいて前記データ蓄積手段から該実行要求で指定されているジョブを選択するジョブ選択処理ステップと、
選択された前記ジョブを前記管理通信処理ステップで、該ジョブを要求してきた前記画像処理装置へ送信させるジョブ送信処理ステップと、
を実行し、
前記画像処理装置は、
前記ジョブ管理装置と通信する画像処理通信処理ステップと、
自機の接続されているネットワークを識別する画像処理ネットワーク識別情報を取得する画像処理ネットワーク識別情報取得処理ステップと、
情報を入力する情報入力処理ステップと、
前記情報入力処理ステップで実行対象のジョブを識別するジョブ識別情報を伴う実行要求が入力されると、該ジョブ識別情報と前記画像処理ネットワーク識別情報とを含む実行要求を前記画像処理通信処理ステップで前記ジョブ管理装置へ送信させる実行要求送信処理ステップと、
前記画像処理通信処理ステップで前記ジョブが前記ジョブ管理装置から受信されると、該ジョブを実行するジョブ実行処理ステップと、
を実行することを特徴とする画像処理方法。
【請求項１８】
情報処理装置から送られてくる該情報処理装置の接続されているネットワークを識別するネットワーク識別情報の付加されているジョブを蓄積し、画像処理装置からの該ジョブの取得要求に応じて送信するジョブ管理装置の搭載するプログラムであって、
制御プロセッサに、
前記情報処理装置及び前記画像処理装置と通信する管理通信処理と、
データをデータ蓄積手段へ蓄積するデータ蓄積処理と、
前記管理通信処理で前記ジョブを前記情報処理装置から受信すると、該ジョブを前記データ蓄積手段へ蓄積する蓄積制御処理と、
前記ジョブを識別する第１のジョブ識別情報と、前記情報処理ネットワーク識別情報と組み合わされて該ジョブを識別する第２のジョブ識別情報と、を生成する識別情報生成処理と、
前記第１のジョブ識別情報と前記第２のジョブ識別情報を前記管理通信手段で前記ジョブを送信してきた前記情報処理装置へ送信させる識別情報管理処理と、
前記第１のジョブ識別情報と前記第２のジョブ識別情報を前記管理通信処理ステップで前記ジョブを送信してきた前記情報処理装置へ送信させる識別情報管理処理ステップと、
前記管理通信処理で前記画像処理装置から該画像処理装置の接続されているネットワークを識別する画像処理ネットワーク識別情報と前記ジョブを識別するジョブ識別情報を含む実行要求が受信されると、該ジョブ識別情報が前記第１のジョブ識別情報と前記第２のジョブ識別情報のいずれであるかを判別し、該ジョブ識別情報または該ジョブ識別情報と該画像処理ネットワーク識別情報及び前記蓄積要求において前記ジョブに対応する前記情報処理ネットワーク識別情報に基づいて前記データ蓄積手段から該実行要求で指定されているジョブを選択するジョブ選択処理と、
選択された前記ジョブを前記管理通信処理で、該ジョブを要求してきた前記画像処理装置へ送信させるジョブ送信処理と、
を実行させることを特徴とするプログラム。
【発明の詳細な説明】
【技術分野】
【０００１】
本発明は、画像処理システム、ジョブ管理装置、画像処理方法及びプログラムに関し、詳細には、ジョブをネットワーク上で管理する画像処理システム、ジョブ管理装置、画像処理方法及びプログラムに関する。
【背景技術】
【０００２】
ネットワークを利用した画像形成システムは、ネットワーク上の蓄積部に一旦印刷ジョブを保管して、印刷先の画像形成装置からのジョブ要求に応じて、保管している印刷ジョブを提供することが行われている。
【０００３】
例えば、画像形成システムでは、出力先の画像形成装置の蓄積部に保管された印刷文書を別の画像形成装置で印刷するロケーションフリー印刷やネットワーク上の蓄積部に保管されている印刷文書を画像形成装置から引き出して印刷するプル印刷が行われる。
【０００４】
このような印刷を行う画像形成システムにおいては、印刷ジョブの機密保護を図るために、ＰＩＮコード等の識別情報を発行し、入力されたＰＩＮコードに基づいて印刷ジョブを特定し印刷する仕組みを利用している（特許文献１参照）。
【発明の概要】
【発明が解決しようとする課題】
【０００５】
しかしながら、上記公報記載の従来技術にあっては、ロケーションフリー印刷等では、印刷ジョブの機密保護を図るためには、識別情報自体の独自性が要求される。
【０００６】
したがって、例えば、管理する印刷ジョブの数が増加するのに伴って、識別情報の桁数を増やしたり、識別情報を構成する文字の種類を増やしたりする必要があった。その結果、ユーザが、ネットワーク上のジョブを取り扱いにくくなってきており、利用性が悪いという問題があった。
【０００７】
そこで、本発明は、ネットワーク上のジョブを、機密を確保しつつ、その利用性を向上させることを目的としている。
【課題を解決するための手段】
【０００８】
上記目的を達成するために、請求項１記載の画像処理システムは、ジョブを送信する情報処理装置と、前記ジョブを管理するジョブ管理装置と、前記ジョブ管理装置から前記ジョブを取得して実行する画像処理装置が、それぞれ適宜のネットワークに接続されている画像処理システムであって、前記情報処理装置は、前記ジョブ管理装置と通信する情報通信手段と、自機の接続されているネットワークを識別する情報処理ネットワーク識別情報を取得する情報処理ネットワーク識別情報取得手段と、前記情報処理ネットワーク識別情報と、前記ジョブとを含む蓄積要求を前記情報通信手段に前記ジョブ管理装置へ送信させる蓄積要求送信手段と、情報を出力する情報出力手段と、前記情報通信手段が、前記ジョブ管理装置へ送信した前記ジョブを識別するためのジョブ識別情報を該ジョブ管理装置から受信すると、該ジョブ識別情報を前記情報出力手段に出力させる情報出力制御手段と、を備え、前記ジョブ管理装置は、前記情報処理装置及び前記画像処理装置と通信する管理通信手段と、データを蓄積するデータ蓄積手段と、前記管理通信手段が前記ジョブを前記情報処理装置から受信すると、該ジョブを前記データ蓄積手段へ蓄積する蓄積制御手段と、前記ジョブを識別する第１のジョブ識別情報と、前記情報処理ネットワーク識別情報と組み合わされて該ジョブを識別する第２のジョブ識別情報と、を生成する識別情報生成手段と、前記第１のジョブ識別情報と前記第２のジョブ識別情報を前記管理通信手段に前記ジョブを送信してきた前記情報処理装置へ送信させる識別情報管理手段と、前記管理通信手段が前記画像処理装置から該画像処理装置の接続されているネットワークを識別する画像処理ネットワーク識別情報と前記ジョブを識別するジョブ識別情報を含む実行要求を受信すると、該ジョブ識別情報が前記第１のジョブ識別情報と前記第２のジョブ識別情報のいずれであるかを判別し、該ジョブ識別情報または該ジョブ識別情報と該画像処理ネットワーク識別情報及び前記蓄積要求において前記ジョブに対応する前記情報処理ネットワーク識別情報に基づいて前記データ蓄積手段から該実行要求で指定されているジョブを選択するジョブ選択手段と、選択された前記ジョブを前記管理通信手段に、該ジョブを要求してきた前記画像処理装置へ送信させるジョブ送信手段と、を備え、前記画像処理装置は、前記ジョブ管理装置と通信する画像処理通信手段と、自機の接続されているネットワークを識別する画像処理ネットワーク識別情報を取得する画像処理ネットワーク識別情報取得手段と、情報を入力する情報入力手段と、前記情報入力手段から実行対象のジョブを識別するジョブ識別情報を伴う実行要求が入力されると、該ジョブ識別情報と前記画像処理ネットワーク識別情報とを含む実行要求を前記画像処理通信手段に前記ジョブ管理装置へ送信させる実行要求送信手段と、前記画像処理通信手段が前記ジョブを前記ジョブ管理装置から受信すると、該ジョブを実行するジョブ実行手段と、を備えていることを特徴としている。
【発明の効果】
【０００９】
本発明によれば、ネットワーク上のジョブを、機密を確保しつつ、その利用性を向上させることができる。
【図面の簡単な説明】
【００１０】
【図１】本発明の第１実施例を適用した画像形成システムの概略構成図。
【図２】クライアント端末のブロック図。
【図３】画像形成装置のブロック図。
【図４】プリントサービス装置のブロック図。
【図５】画像形成システムの機能ブロック図。
【図６】印刷ジョブ蓄積処理のシーケンス図。
【図７】アップロード画面の一例を示す図。
【図８】ジョブ管理テーブルの一例を示す図。
【図９】ジョブ管理テーブルの他の例を示す図。
【図１０】アップロード結果表示画面の一例を示す図。
【図１１】印刷ジョブ識別を伴う印刷処理のシーケンス図。
【図１２】ジョブ識別情報入力画面の一例を示す図。
【図１３】印刷ジョブ選択処理を示すフローチャート。
【図１４】印刷許可ネットワーク識別情報を含むジョブ管理テーブルの一例を示す図。
【図１５】他の画像形成システムの概略構成図。
【図１６】第２実施例の画像形成システムの概略構成図。
【図１７】印刷データ蓄積装置のブロック図。
【図１８】第２実施例の画像形成システムの機能ブロック図。
【図１９】印刷データ蓄積装置の蓄積する蓄積ジョブ管理テーブルの一例を示す図。
【図２０】印刷ジョブ蓄積処理のシーケンス図。
【図２１】アップロード画面の他の例を示す図。
【図２２】印刷ジョブ取得・印刷処理のシーケンス図。
【図２３】印刷データ蓄積装置に印刷ジョブがないときの印刷ジョブ取得・印刷処理のシーケンス図。
【図２４】第２のジョブ識別情報更新処理のシーケンス図。
【図２５】ジョブ識別情報変更要求画面の一例を示す図。
【図２６】ジョブ識別情報変更入力画面の一例を示す図。
【図２７】ジョブ識別情報変更完了画面の一例を示す図。
【図２８】メールアドレス管理テーブルの一例を示す図。
【図２９】電子メールによる印刷ジョブ蓄積処理のシーケンス図。
【図３０】印刷データ蓄積装置によるプリントサービス装置からの印刷ジョブ取得処理のシーケンス図。
【図３１】識別情報対応印刷条件テーブルの一例を示す図。
【発明を実施するための形態】
【００１１】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１２】
図１〜図１５は、本発明の画像処理システム、ジョブ管理装置、画像処理方法及びプログラムの第１実施例を示す図であり、図１は、本発明の画像処理システム、ジョブ管理装置、画像処理方法及びプログラムの第１実施例を適用した画像形成システム１の概略構成図である。
【００１３】
図１において、画像形成システム（画像処理システム）１は、オフィスネットワークシステムＯＳとサービス提供ネットワークシステムＳＳとが、公衆ネットワークＮＷＰにより接続されている。公衆ネットワークＮＷＰとしては、例えば、インターネット等が用いられている。
【００１４】
公衆ネットワークＮＷＰには、種々の通信端末が接続されているが、特に、本発明における情報処理端末としてクライアント端末ＣＬｂが接続されている。各ネットワークＮＷ１、ＮＷ２、ＮＷＰは、有線、無線のいずれであってもよい。
【００１５】
オフィスネットワークシステムＯＳは、ＬＡＮ（Local Area Network）等のネットワークＮＷ１に、クライアント端末ＣＬａ、本発明における画像処理装置としての画像形成装置Ｇｋが接続されている。クライアント端末ＣＬａ及び画像形成装置Ｇｋの数は、限定されるものではない。オフィスネットワークシステムＯＳは、ネットワークＮＷ１が、ファイアウォール（Firewall）ＦＷを介して公衆ネットワークＮＷＰに接続されている。なお、図１では、オフィスネットワークシステムＯＳが、１つのみ記載されているが、通常、複数のオフィスネットワークシステムＯＳやその他のネットワークが接続されており、そのネットワーク形式も同じではない。したがって、本発明のネットワーク構成は、図１に示すネットワーク構成に限定されるものではない。
【００１６】
ファイアウォールＦＷは、ネットワークＮＷ１と公衆ネットワークＮＷＰとを接続するための機器である。ファイアウォールＦＷは、ネットワークＮＷ１に接続されたクライアント端末ＣＬａ、画像形成装置Ｇｋから公衆ネットワークＮＷＰに接続されている装置やサービス提供ネットワークシステムＳＳの装置に対する接続（通信）については許可する。一方、ファイアウォールＦＷは、公衆ネットワークＮＷＰに接続されている装置やサービス提供ネットワークシステムＳＳの装置からネットワークＮＷ１に接続されたクライアント端末ＣＬａ、画像形成装置Ｇｋに対して直接接続することができないように制御する。
【００１７】
クライアント端末ＣＬａ、ＣＬｂは、通常のハードウェア構成、ソフトウェア構成のコンピュータ、モバイル端末、携帯端末等である。クライアント端末ＣＬは、プログラムとして、本発明の画像処理方法のうち、クライアント端末ＣＬａ、ＣＬｂが実行するべき部分のプログラムを搭載している。
【００１８】
クライアント端末ＣＬａ、ＣＬｂは、搭載するアプリケーションによって作成等されたデータと印刷設定から、プリンタドライバが、任意のＰＤＬ（Page Description Language：ページ記述言語）で、印刷データと印刷設定を含む印刷ジョブ（ジョブ）を生成する。クライアント端末ＣＬａ、ＣＬｂは、生成した印刷ジョブを、公衆ネットワークＰＮＷを介して、サービス提供ネットワークシステムＳＳへ送信する。
【００１９】
クライアント端末ＣＬａ、ＣＬｂは、例えば、図２に示すように、ＣＰＵ（Central Processing Unit）１１、ＲＯＭ（Read Only Memory）１２、ＲＡＭ（Random Access Memory）１３、不揮発性メモリ１４、入力Ｉ／Ｆ１５、出力Ｉ／Ｆ１６、外部Ｉ／Ｆ１７及び通信Ｉ／Ｆ１８等を備えており、各部は、バス１９によって接続されている。
【００２０】
ＲＯＭ１２は、クライアント端末ＣＬａ、ＣＬｂとしての基本プログラム、本発明の画像処理方法のうちクライアント端末ＣＬａ、ＣＬｂで実行すべき部分のプログラム及びシステムデータ等を記憶している。
【００２１】
ＲＡＭ１３は、ＣＰＵ１１のワークメモリとして利用されるとともに、画像データ及びその他のデータ等を記憶する。
【００２２】
ＣＰＵ１１は、ＲＯＭ１２内のプログラムに基づいて、ＲＡＭ１３をワークメモリとして利用して、クライアント端末ＣＬａ、ＣＬｂの各部を制御して、クライアント端末ＣＬａ、ＣＬｂとしての基本処理を実行する。また、ＣＰＵ１１は、ＲＯＭ１２内の画像処理方法のプログラムに基づいて、本発明の画像処理方法を実行する。
【００２３】
不揮発性メモリ１４は、ＮＶＲＡＭ（Nonvolatile Random Access Memory）、ＳＳＤ（Solid State Drive）、ハードディスク等が用いられ、クライアント端末ＣＬａ、ＣＬｂの電源がオフのときにも記憶内容を保持するメモリである。不揮発性メモリ１４は、クライアント端末ＣＬａ、ＣＬｂの電源がオフのときにも記憶内容を保持する必要のあるデータとして、例えば、システム設定値や本発明の画像処理方法で使用する各種データがＣＰＵ１１の制御下で格納される。
【００２４】
入力Ｉ／Ｆ１５には、キーボード、マウス、スタイラスペン、タッチパネル等の入力デバイス２１が接続され、入力Ｉ／Ｆ１５は、入力デバイス２１から入力される各種命令等をＣＰＵ１１へ出力する。特に、入力デバイス２１は、後述する印刷要求操作等が行われ、ＣＰＵ１１は、入力デバイス２１から操作された印刷要求操作に応じて、プリンタドライバを用いて印刷ジョブの生成を行う。
【００２５】
出力Ｉ／Ｆ１６には、ディスプレイ、ランプ、スピーカ等の出力デバイス２２が接続され、出力Ｉ／Ｆ１６は、ＣＰＵ１１の制御下で、出力デバイス２２に表示データ、点滅データ、音声データ等の出力データを出力する。このディスプレイは、タッチパネル付きディスプレイが用いられていてもよい。
【００２６】
外部Ｉ／Ｆ１７は、可搬性記憶媒体Ｍｋが着脱可能に装着され、可搬性記憶媒体Ｍｋは、ＩＣ（Integrated Circuit：集積回路）、ＳＤ（Secure Digital）カード、フラッシュメモリカード等である。可搬性記憶媒体Ｍｋは、ＣＰＵ１１の制御下で、各種データが書き込まれ、また、読み出される。特に、外部Ｉ／Ｆ１７は、ＣＰＵ１１の制御下で、本発明の画像処理方法で用いる主識別子や副識別子及びユーザＩＤ（ユーザ識別情報）等が書き込まれ、また、読み出される。
【００２７】
通信Ｉ／Ｆ１８は、ネットワークＮＷ１が接続され、ネットワークＮＷ１を介して画像形成装置ＧｋやファイアウォールＦＷ、公衆ネットワークＰＮＷ、アクセス制御装置ＡＳ、ネットワークＮＷ２を介してプリントサービス装置ＰＳと通信する。
【００２８】
画像形成装置Ｇｋは、複合装置、複写装置、プリンタ装置、ファクシミリ装置等が用いられ、サービス提供ネットワークシステムＳＳからの印刷ジョブに基づいて、所定の印刷方式、例えば、電子写真方式、インクジェット方式で、用紙やフィルム等の記録媒体（以下、単に、用紙という。）に画像を印刷出力する。
【００２９】
画像形成装置Ｇｋは、図３に示すように、コントローラ３０、エンジン部３１及び操作表示部３２等を備えている。コントローラ３０は、ＣＰＵ４１、ＲＯＭ４２、ＲＡＭ４３、不揮発性メモリ４４、ネットワークＩ／Ｆ４５、エンジンＩ／Ｆ４６、操作表示Ｉ／Ｆ４７及び外部Ｉ／Ｆ４８等を備えている。コントローラ３０は、各部が、バス４９により接続されている。
【００３０】
エンジン部３１は、プリンタエンジン、スキャナエンジン等のエンジンを搭載しており、エンジンとしては、これらの内容に限るものではない。エンジン部３１は、プリンタエンジンの場合、例えば、タンデム型の電子写真方式のプリンタエンジンでは、搬送ベルトに沿って、例えば、特殊色、ブラック（Ｋ）、マゼンタ（Ｍ）、シアン（Ｃ）及びイエロー（Ｙ）の各色の画像形成ユニットが配設されている。各画像形成ユニットは、例えば、感光体の周囲に、光書込部、現像部、帯電部及びクリーニング部等を備えている。そして、エンジン部３１は、各色の画像形成ユニットにおいて、コントローラ３０から受け取った各色の描画データ（画像データ）により光書込部を動作させて、その感光体上に静電潜像を形成する。エンジン部３１は、各色の画像形成ユニットにおいて、現像部から各色のトナーを感光体上に供給して静電潜像を現像することで各色のトナー画像を形成し、給紙部から用紙（被記録媒体）を感光体と転写部との間に給紙して、感光体上のトナー画像を順次用紙に重ね合わせて転写させる。エンジン部３１は、トナー画像の転写された用紙を定着部に搬送して、定着部で加熱・加圧して用紙上のトナー画像を定着させることで、カラー画像を形成し、印刷物を出力する。なお、エンジン部３１は、各色の画像形成ユニットが搬送ベルトに沿って配設されているものに限らず、例えば、中間転写ベルトに沿って、配設されていてもよい。また、エンジン部３１は、プリンタエンジンの場合、印刷後の用紙に、ソート処理、パンチ処理、ステイプル処理等の後処理を施す後処理装置を備えていてもよい。
【００３１】
エンジン部３１は、スキャナエンジンの場合、例えば、ＣＣＤ（Charge Coupled Device ）を利用したイメージスキャナ等が用いられており、原稿を走査して、原稿の画像を所定の解像度で読み取って、原稿の画像データをコントローラ３０へ出力する。
【００３２】
操作表示部３２は、テンキー、クリアストップキー、スタートキー、リセットキー、プログラムキー等の各種操作キー及びディスプレイ等が設けられている。操作表示部３２は、操作キーによって、画像形成装置Ｇｋに各種動作を行わせるための命令が入力される。特に、操作表示部３２は、本発明の画像処理方法における主識別子や副識別子の入力及びユーザを識別するユーザＩＤの入力等に使用される。
【００３３】
操作表示部３２のディスプレイは、例えば、ＬＣＤ（Liquid Crystal Display）の上面にタッチ操作を検出するタッチパネルが設けられているタッチパネル付きＬＣＤ（Liquid Crystal Display）等が用いられている。ディスプレイは、画像形成装置Ｇｋからユーザに通知する各種情報や操作キーの操作内容等の各種情報を表示出力する。
【００３４】
コントローラ３０は、そのＲＯＭ４２に、コントローラ３０内でのデータの処理や管理及び周辺モジュールを制御するためのプログラム及び必要な各種データ、特に、本発明の画像処理方法のうち画像形成装置Ｇｋが実行すべき部分のプログラムを格納している。具体的には、ＲＯＭ４２は、画像形成装置Ｇｋとしての基本処理プログラム及びファームウェア等の各種プログラム及び本発明の画像処理方法のプログラム及びこれらを実行するのに必要な各種データを格納している。
【００３５】
ＣＰＵ４１は、ＲＯＭ４２に格納されているプログラムに基づいて、ＲＡＭ４３をワークメモリとして利用しつつ、画像形成装置Ｇｋの各部を制御して、各種画像処理を行う。特に、ＣＰＵ４１は、ＲＯＭ４２に格納されている本発明の画像処理方法のうち画像形成装置Ｇｋが実行すべき部分のプログラムに基づいて、画像形成装置Ｇｋの各部を制御して、本発明の画像処理方法を実行する。
【００３６】
ＲＡＭ４３は、ＣＰＵ４１のワークメモリとして利用される。また、ＲＡＭ４３は、コンピュータからの印刷データを一時記憶するバッファ、該印刷データを実際の印刷に適した描画データに変換して展開されるビットマップメモリ等として利用される。
【００３７】
不揮発性メモリ４４は、例えば、ＮＶＲＡＭ（Nonvolatile Random Access Memory）、ＳＳＤ（Solid State Drive）、ハードディスク等が用いられており、画像形成装置Ｇｋの電源がオフのときにも記憶内容を保持するメモリである。不揮発性メモリ４４は、画像形成装置Ｇｋの電源がオフの際にも保持する必要のあるデータとして、例えば、システム設定値等の各種データがＣＰＵ４１の制御下で格納される。
【００３８】
ネットワークＩ／Ｆ４５は、ネットワークＮＷ１に接続されており、該ネットワークＮＷ１及び公衆ネットワークＮＷＰを介してサービス提供ネットワークシステムＳＳとの間で、通信を行う。
【００３９】
エンジンＩ／Ｆ４６は、上記エンジン部３１が接続されている。エンジンＩ／Ｆ４６は、コントローラ３０からエンジン部３１への制御信号や描画データ等のデータの出力、エンジン部３１からコントローラ３０へのステータス信号等の各信号の授受を行う。
【００４０】
操作表示Ｉ／Ｆ４７は、上記操作表示部３２に接続されており、ＣＰＵ４１と操作表示部３２との間の信号の授受を行う。
【００４１】
外部Ｉ／Ｆ４８は、可搬性記憶媒体Ｍｋが接離可能に装着され、可搬性記憶媒体Ｍｋは、上記ＩＣ、ＳＤカード、フラッシュメモリカード等である。可搬性記憶媒体Ｍｋは、ＣＰＵ４１の制御下で、各種データが書き込まれ、また、読み出される。
【００４２】
サービス提供ネットワークシステムＳＳは、アクセス制御装置ＡＳ、プリントサービス装置ＰＳ等を備えており、アクセス制御装置ＡＳとプリントサービス装置ＰＳは、ネットワークＮＷ２により接続されている。
【００４３】
アクセス制御装置ＡＳは、公衆ネットワークＮＷＰとネットワークＮＷ２に接続されており、公衆ネットワークＮＷＰとネットワークＮＷ２との通信を制御する。
【００４４】
プリントサービス装置ＰＳは、ネットワークＮＷ２に１台以上が接続されており、通常のハードウェア及びソフトウェアのコンピュータが用いられている。プリントサービス装置ＰＳは、クライアント端末ＣＬａ、ＣＬｂからの印刷ジョブを受信して一旦保管し、出力要求に応じて、保管している印刷ジョブを、印刷先の画像形成装置Ｇｋへ印刷ジョブを送信する。プリントサービス装置ＰＳは、この保管している印刷ジョブの画像形成装置Ｇｋへの出力を、機密を確保しつつ利用性を向上させた状態で行う。
【００４５】
プリントサービス装置ＰＳは、例えば、図４に示すように、ＣＰＵ５１、ＲＯＭ５２、ＲＡＭ５３、不揮発性メモリ５４、入力Ｉ／Ｆ５５、出力Ｉ／Ｆ５６、外部Ｉ／Ｆ５７及び通信Ｉ／Ｆ５８等を備えており、各部は、バス５９によって接続されている。
【００４６】
ＲＯＭ５２は、プリントサービス装置ＰＳとしての基本プログラム、本発明の画像処理方法のうちプリントサービス装置ＰＳで実行すべき部分のプログラム及びシステムデータ等を記憶している。
【００４７】
ＲＡＭ５３は、ＣＰＵ５１のワークメモリとして利用されるとともに、画像データ及びその他のデータ等を記憶する。
【００４８】
ＣＰＵ５１は、ＲＯＭ５２内のプログラムに基づいて、ＲＡＭ５３をワークメモリとして利用して、プリントサービス装置ＰＳの各部を制御して、プリントサービス装置ＰＳとしての基本処理を実行する。また、ＣＰＵ５１は、ＲＯＭ５２に格納されている本発明の画像処理方法のプログラムに基づいて、本発明の画像処理方法のうちプリントサービス装置ＰＳが実行すべき部分を実行する。
【００４９】
不揮発性メモリ５４は、ＮＶＲＡＭ、ＳＳＤ、ハードディスク等が用いられ、プリントサービス装置ＰＳの電源がオフのときにも記憶内容を保持するメモリである。不揮発性メモリ５４は、プリントサービス装置ＰＳの電源がオフのときにも記憶内容を保持する必要のあるデータとして、例えば、システム設定値や本発明の画像処理方法で使用する各種データがＣＰＵ５１の制御下で格納される。
【００５０】
入力Ｉ／Ｆ５５には、キーボード、マウス、スタイラスペン、タッチパネル等の入力デバイス６１が接続され、入力Ｉ／Ｆ５５は、入力デバイス６１から入力される各種命令等をＣＰＵ５１へ出力する。
【００５１】
出力Ｉ／Ｆ５６には、ディスプレイ、ランプ、スピーカ等の出力デバイス６２が接続され、出力Ｉ／Ｆ５６は、ＣＰＵ５１の制御下で、出力デバイス６２に表示データ、点滅データ、音声データ等の出力データを出力する。このディスプレイは、タッチパネル付きディスプレイが用いられていてもよい。
【００５２】
外部Ｉ／Ｆ５７は、可搬性記憶媒体Ｍｋが着脱可能に装着され、可搬性記憶媒体Ｍｋは、ＩＣ、ＳＤカード、フラッシュメモリカード等である。可搬性記憶媒体Ｍｋは、ＣＰＵ５１の制御下で、各種データが書き込まれ、また、読み出される。
【００５３】
プリントサービス装置ＰＳは、出力先の画像形成装置Ｇｋからの要請に応じて、自己が管理している印刷ジョブを、後述するようにセキュリティを確保した状態で、該画像形成装置Ｇｋへ送信する。
【００５４】
通信Ｉ／Ｆ５８は、ネットワークＮＷ２が接続され、ネットワークＮＷ２及びアクセス制御装置ＡＳを通して公衆ネットワークＮＷＰ上の装置やオフィスネットワークシステムＯＳの装置と通信する。
【００５５】
そして、画像形成システム１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＵＳＢ（Universal Serial Bus）メモリ、ＳＤ（Secure Digital）カード、ＭＯ（Magneto-Optical Disc）等のコンピュータが読み取り可能な記録媒体に記録されている本発明の画像処理方法を実行するプログラムを読み込んでプリントサービス装置ＰＳのＲＯＭ５２、画像形成装置ＧｋのＲＯＭ４２及びクライアント端末ＣＬａ、ＣＬｂのＲＯＭ１２に導入することで、後述するネットワーク上の印刷ジョブを、機密を確保しつつ、その利用性を向上させる画像処理方法を実行する情報処理装置、画像形成装置、情報処理装置及びこれらを備えた画像形成システムとして構築されている。この画像処理方法を実行するプログラムは、アセンブラ、Ｃ、Ｃ＋＋、Ｃ＃、Ｊａｖａ（登録商標）等のレガシープログラミング言語やオブジェクト指向プログラミング言語等で記述されたコンピュータ実行可能なプログラムであり、上記記録媒体に格納して頒布することができる。
【００５６】
画像形成システム１は、上記画像処理方法を実行するプログラムが導入されることで、図５に示すような機能ブロックが構築される。
【００５７】
すなわち、画像形成システム１は、上記プログラムが導入されることで、図５に示すように、クライアント端末ＣＬａ、ＣＬｂに、情報通信部７１、情報処理ネットワーク識別情報取得部７２、情報付加部７３、送信制御部７４、入力部７５、情報出力部７６及び情報出力制御部７７が、プリントサービス装置ＰＳに、管理通信部８１、データ蓄積部８２、蓄積制御部８３、識別情報生成部８４、識別情報管理部８５、ジョブ選択部８６、ジョブ送信部８７及び入出力部８８が、画像形成装置Ｇｋは、画像形成通信部９１、画像形成ネットワーク識別情報取得部９２、情報入力部９３、印刷要求送信部９４及びジョブ実行部９５が、それぞれ構築される。
【００５８】
クライアント端末ＣＬａ、ＣＬｂの情報通信部７１は、通信Ｉ／Ｆ１８により構築されており、ジョブ管理装置であるプリントサービス装置ＰＳと通信する。したがって、情報通信部７１は、情報処理装置通信手段として機能している。
【００５９】
情報処理ネットワーク識別情報取得部７２は、ＣＰＵ１１及び通信Ｉ／Ｆ１８で構築されており、ネットワークＮＷ１、ＮＷ２、ＮＷＰを介して、自機の接続されているネットワークＮＷ１、ＮＷＰを識別する情報処理ネットワーク識別情報を取得する。したがって、情報処理ネットワーク識別情報取得部７２は、情報処理装置ネットワーク識別情報取得手段として機能している。
【００６０】
情報付加部７３は、ＣＰＵ１１により構築されており、情報処理ネットワーク識別情報取得部７２の取得した情報処理ネットワーク識別情報を印刷ジョブに付加する。
【００６１】
送信制御部７４は、ＣＰＵ１１により構築されており、情報処理ネットワーク識別情報の付加された印刷ジョブを情報通信部７１にプリントサービス装置ＰＳへ送信させる。なお、送信制御部７４は、情報処理ネットワーク識別情報を付加することなく、印刷ジョブ（ジョブ）と、情報処理ネットワーク識別情報を別々で、情報通信部７１にプリントサービス装置ＰＳへ送信させてもよい。したがって、上記情報付加部７３及び送信制御部７４は、全体として、情報処理ネットワーク識別情報と、印刷ジョブとを含む蓄積要求を情報通信手段としての情報通信部７１にジョブ管理装置であるプリントサービス装置ＰＳへ送信させる蓄積要求送信手段として機能している。
【００６２】
情報出力部７６は、出力デバイス２２、外部Ｉ／Ｆ１７等で構築されており、情報、特に、ジョブ識別情報（第１のジョブ識別情報、第２のジョブ識別情報）を表示出力、可搬性記憶媒体Ｍｋへの記録出力等の方法で出力する。したがって、情報出力部７６は、情報出力手段として機能している。
【００６３】
情報出力制御部７７は、ＣＰＵ１１で構築されており、情報通信部７１が送信制御部７４の送信した印刷ジョブを識別するためのジョブ識別情報をプリントサービス装置ＰＳから受信すると、該ジョブ識別情報を情報出力部７６に出力させる。したがって、情報出力制御部７７は、情報出力制御手段として機能している。
【００６４】
前記ジョブ管理装置としてのプリントサービス装置ＰＳの管理通信部８１は、通信Ｉ／Ｆ５８により構築されており、情報処理装置であるクライアント端末ＣＬａ、ＣＬｂ及び画像形成装置Ｇｋと通信する。したがって、管理通信部８１は、管理通信手段として機能している。
【００６５】
データ蓄積部８２は、不揮発性メモリ５４により構築されており、データ、特に、情報処理ネットワーク識別情報の付加された印刷ジョブ、該印刷ジョブに対して生成された第１のジョブ識別情報と第２のジョブ識別情報を蓄積する。したがって、データ蓄積部８２は、データ蓄積手段として機能している。なお、データ蓄積部８２は、種々のデータ形式で印刷ジョブを蓄積することができる。データ蓄積部８２は、例えば、ＮＦＳ（Network File System）、ＲＤＢＭＳ（Relational Data Base Management System）RDBMS等の種々のファイル形式で印刷ジョブを記憶する。
【００６６】
蓄積制御部８３は、ＣＰＵ５１により構築されており、管理通信部８１が印刷ジョブをクライアント端末ＣＬａ、ＣＬｂから受信すると、該印刷ジョブをデータ蓄積部８２へ蓄積する。したがって、蓄積制御部８３は、蓄積制御手段として機能している。
【００６７】
識別情報生成部８４は、ＣＰＵ５１に構築されている。識別情報生成部８４は、印刷ジョブに該印刷ジョブを一意に識別する第１のジョブ識別情報と、該第１の識別情報よりも短く情報処理ネットワーク識別情報と組み合わされて該印刷ジョブを識別する第２のジョブ識別情報と、を生成する。したがって、識別情報生成部８４は、識別情報生成手段として機能している。識別情報生成部８４は、第２のジョブ識別情報の生成においては、予め設定されている情報処理ネットワーク識別情報に基づいて、該第２のジョブ識別情報の生成の可否を制御してもよい。例えば、印刷ジョブに付加されている情報処理ネットワーク識別情報が企業内ネットワークの情報処理ネットワーク識別情報以外であると、第２のジョブ識別情報を生成しない。
【００６８】
識別情報管理部８５は、ＣＰＵ５１に構築されており、識別情報生成部８４の生成した第１のジョブ識別情報と第２のジョブ識別情報を管理通信部８１に印刷ジョブを送信してきたクライアント端末ＣＬａ、ＣＬｂへ送信させる。したがって、識別情報管理部８５は、識別情報管理手段として機能している。また、識別情報管理部８５は、印刷ジョブ、ネットワーク識別情報及びジョブ識別情報を対応させて管理する。
【００６９】
ジョブ選択部８６は、ＣＰＵ５１により構築されている。ジョブ選択部８６は、管理通信部８１が画像形成装置Ｇｋからジョブ識別情報を含む印刷要求を受信すると、該ジョブ識別情報が第１のジョブ識別情報と第２のジョブ識別情報のいずれであるかを判別する。そして、ジョブ選択部８６は、該ジョブ識別情報または該ジョブ識別情報と印刷ジョブに付加されている情報処理ネットワーク識別情報に基づいてデータ蓄積部８２から該ジョブ識別情報で識別される印刷ジョブを選択する。したがって、ジョブ選択部８６は、ジョブ選択手段として機能している。
【００７０】
ジョブ送信部８７は、ＣＰＵ５１により構築されており、選択された印刷ジョブを管理通信部８１に画像形成装置Ｇｋへ送信させる。したがって、ジョブ送信部８７は、ジョブ送信手段として機能している。
【００７１】
画像形成装置Ｇｋの画像形成通信部９１は、ネットワークＩ／Ｆ４５により構築されており、ジョブ管理装置としてのプリントサービス装置ＰＳと通信する。したがって、画像形成通信部９１は、画像処理通信手段として機能している。
【００７２】
画像形成ネットワーク識別情報取得部９２は、ＣＰＵ４１により構築されており、自機の接続されているネットワークを識別する画像形成ネットワーク識別情報（画像処理ネットワーク識別情報）を取得する。画像形成ネットワーク識別情報取得部９２は、画像処理ネットワーク識別情報取得手段として機能している。
【００７３】
情報入力部９３は、操作表示部３２により構築されており、情報を入力する。したがって、情報入力部９３は、情報入力手段として機能している。
【００７４】
印刷要求送信部９４は、ＣＰＵ４１により構築されている。印刷要求送信部９４は、情報入力部９３から印刷対象の印刷ジョブを識別するジョブ識別情報が入力されて、印刷要求が入力されると、該ジョブ識別情報に前記画像形成ネットワーク識別情報を付加した印刷要求を画像形成通信部９１に前記プリントサービス装置ＰＳへ送信させる。したがって、印刷要求送信部９４は、実行要求送信手段として機能している。
【００７５】
ジョブ実行部９５は、ＣＰＵ４１及びエンジン部３１により構築されており、前記画像形成通信部９１が前記印刷ジョブをプリントサービス装置ＰＳから受信すると、該印刷ジョブを実行する。したがって、ジョブ実行部９５は、ジョブ実行手段として機能している。
【００７６】
次に、本実施例の作用を説明する。本実施例の画像形成システム１は、ネットワーク上の印刷ジョブを、機密を確保しつつ、その利用性を向上させる。
【００７７】
画像形成システム１は、ネットワークＮＷａに接続されているクライアント端末ＣＬａ、公衆ネットワークＮＷＰに接続されているクライアント端末ＣＬｂから印刷ジョブをプリントサービス装置ＰＳへ送信して蓄積させる。このとき、クライアント端末ＣＬａ、ＣＬｂは、自己の接続されているネットワークＮＷ１、ＮＷＰを識別する情報処理ネットワーク識別情報を、印刷ジョブに付加して送信する。
【００７８】
プリントサービス装置ＰＳは、送られてきた印刷ジョブに、情報処理ネットワーク識別情報に基づいて、第１のジョブ識別情報と第２の識別情報を生成して付与して組として保管するとともに、該ジョブ識別情報をクライアント端末ＣＬａ、ＣＬｂへ送信する。
【００７９】
クライアント端末ＣＬａ、ＣＬｂは、該第１のジョブ識別情報と第２の識別情報を表示出力し、ユーザは、このジョブ識別情報を、暗記、紙等への記載、可搬性記憶媒体Ｍｋへの記録等する。
【００８０】
ユーザは、プリントサービス装置ＰＳへ保管させた印刷ジョブを出力させたい画像形成装置Ｇｋの設置場所へ移動する。ユーザは、画像形成装置Ｇｋで、第１のジョブ識別情報または第２のジョブ識別情報の入力と、印刷ジョブを指定した印刷要求をプリントサービス装置ＰＳへ行う。この場合、ユーザは、印刷ジョブの保管を行ったクライアント端末ＣＬａ、ＣＬｂと同じネットワークに印刷出力先の画像形成装置Ｇｋが接続されているときには、第２のジョブ識別情報を入力する。また、ユーザは、クライアント端末ＣＬａ、ＣＬｂと同じネットワークに印刷出力先の画像形成装置Ｇｋが接続されていないと、第１のジョブ識別情報を入力する。画像形成装置Ｇｋは、印刷要求に、自機の接続されているネットワークの識別情報である画像形成ネットワーク識別情報を付加して、第１のジョブ識別情報または第２のジョブ識別情報ととともにプリントサービス装置ＰＳへ送信する。
【００８１】
プリントサービス装置ＰＳは、印刷要求が画像形成装置Ｇｋから送られてくると、送られてきた印刷要求で指定されている印刷ジョブに組として保管している第１のジョブ識別情報と第２の識別情報及び情報処理ネットワーク識別情報を取得する。プリントサービス装置ＰＳは、印刷要求に付加されている画像形成ネットワーク識別情報、第１のジョブ識別情報または第２のジョブ識別情報を、印刷要求に係る印刷ジョブの情報処理ネットワーク識別情報、第１のジョブ識別情報及び第２のジョブ識別情報と比較する。プリントサービス装置ＰＳは、該比較結果から該印刷要求で指定されている印刷ジョブを選択し、選択した印刷ジョブを、印刷要求してきた画像形成装置Ｇｋへ送信する。
【００８２】
画像形成装置Ｇｋは、プリントサービス装置ＰＳから印刷ジョブが送信されてくると、該印刷ジョブを実行する。
【００８３】
すなわち、画像形成システム１は、図６に示すように、ユーザが、例えば、クライアント端末ＣＬａ、ＣＬｂのウェブブラウザを用いて印刷ジョブのアップロード（投入）を行う（Ｓ１）。
【００８４】
この場合、クライアント端末ＣＬａ、ＣＬｂは、例えば、図７に示すようなアップロード画面Ｇ１を、出力デバイス２２に表示する。ユーザが、このアップロード画面Ｇ１を、入力デバイス６１を操作して、ファイル名（印刷ジョブ名）を入力するか、参照ボタンを操作して、不揮発性メモリ１４等に保管されているファイル（印刷ジョブ）を指定する。なお、アップロード画面Ｇ１には、ファイルの登録欄、参照ボタン及びアップロードボタンがある。なお、参照ボタンは、アップロードするファイルを不揮発性メモリ１４から参照して選択するためのボタンである。
【００８５】
クライアント端末ＣＬａ、ＣＬｂは、情報処理ネットワーク識別情報取得部７２が自機の接続されているネットワークを識別する情報処理ネットワーク識別情報を取得し、情報付加部７３が印刷ジョブに情報処理ネットワーク識別情報を付加する（Ｓ２）。
【００８６】
クライアント端末ＣＬａ、ＣＬｂは、送信制御部７４が情報通信部７１を介して、情報処理ネットワーク識別情報の付加されている印刷ジョブを、プリントサービス装置ＰＳへ送信する（Ｓ３）。
【００８７】
プリントサービス装置ＰＳは、送信されてきた印刷ジョブを受信すると、蓄積制御部８３へ渡し（Ｓ４）、蓄積制御部８３がデータ蓄積部８２へ蓄積するとともに、識別情報生成部８４が、ジョブ識別情報を生成してデータ蓄積部８２へ保管する（Ｓ５、Ｓ６）。このとき、識別情報生成部８４は、受信した印刷ジョブを一意に識別する第１のジョブ識別情報と、該印刷ジョブに付加されている情報処理ネットワーク識別情報と関連付けることで該印刷ジョブを識別する第２のジョブ識別情報を生成する。蓄積制御部８３は、この第１のジョブ識別情報と第２のジョブ識別情報を、該印刷ジョブ及び次情報処理ネットワーク識別情報と関連付けて、例えば、図８または図９に示すジョブ管理テーブルとしてデータ蓄積部８２に保管する。
【００８８】
図８は、第１のジョブ識別情報が、第２のジョブ識別情報を含んでいる識別情報である場合が示されており、図９は、第１のジョブ識別情報が、第２のジョブ識別情報を含んでいない識別情報である場合が示されている。いずれの場合においても、ジョブ管理テーブルは、ＩＤ、データパス、ネットワーク識別情報、第１のジョブ識別情報及び第２のジョブ識別情報の各項目にデータが登録されたテーブルとなっている。ＩＤは、管理用のＩＤであり、データバスは、印刷ジョブの保存先（ホルダ、ＵＲＬ（Uniform Resource Locator）等）である。ネットワーク識別情報は、印刷ジョブに付加されている情報処理ネットワーク識別情報であり、第１のジョブ識別情報及び第２のジョブ識別情報は、該印刷ジョブに対して識別情報生成部８４が生成したジョブ識別情報である。そして、図８は、この第１のジョブ識別情報が第２のジョブ識別情報を含んでいる場合であり、図９は、この第１のジョブ識別情報が第２のジョブ識別情報を含んでいない場合である。
【００８９】
第１のジョブ識別情報は、情報長が長く（桁数が多く）、一意に印刷ジョブを識別するジョブ識別情報であるが、第２のジョブ識別情報は、第１のジョブ識別情報よりも情報長が短く、情報処理ネットワーク識別情報との関連で印刷ジョブを識別するジョブ識別情報である。なお、識別情報は、識別性を向上させるために、利用環境に応じて、種々の識別情報を用いることができる。例えば、識別情報は、桁数を増やすだけでなく、数字のみの識別情報を、英数字を含む識別情報、大文字、小文字を区別する識別情報、さらには、符号を含む識別情報等を用いることができる。
【００９０】
プリントサービス装置ＰＳは、ジョブ識別情報を生成すると、識別情報管理部８５が、第１のジョブ識別情報と第２のジョブ識別情報を、ジョブ識別情報として、印刷ジョブを送信してきたクライアント端末ＣＬａ、ＣＬｂへ送信する（Ｓ７）。
【００９１】
クライアント端末ＣＬａ、ＣＬｂは、送信されてきたジョブ識別情報を情報出力制御部７７が、情報出力部７６へ表示出力等によりユーザが分かるようにする。また、クライアント端末ＣＬａ、ＣＬｂは、送られてきたジョブ識別情報を、可搬性記憶媒体Ｍｋに記憶させてもよい。例えば、クライアント端末ＣＬａ、ＣＬｂは、図１０に示すように、出力デバイス２２に、アップロード結果表示画面Ｇ２を表示出力することで、印刷ジョブのアップロード結果及び第１のジョブ識別情報と第２のジョブ識別情報を通知する。なお、図１０のアップロード結果表示画面Ｇ２では、ジョブ識別情報として、第１のジョブ識別情報と第２のジョブ識別情報を表示している。
【００９２】
そして、印刷ジョブのアップロードに成功したユーザは、図１１に示すように、印刷出力を行わせたい画像形成装置Ｇｋへ移動して、情報入力部９３からジョブ識別情報（ジョブ識別情報）を入力する（Ｓ１）。このジョブ識別情報の入力においては、画像形成装置Ｇｋは、情報入力部９３を構築する操作表示部３２のディスプレイに、例えば、図１２に示すようなジョブ識別情報入力画面Ｇ３を表示する。ユーザは、ジョブ識別情報入力画面Ｇ３のジョブ識別情報入力欄に、第１のジョブ識別情報または第２のジョブ識別情報を入力して、印刷ボタンを操作する。
【００９３】
画像形成装置Ｇｋは、ジョブ識別情報が入力されて印刷ボタンが操作されると、印刷要求送信部９４が、画像形成ネットワーク識別情報取得部９２から画像形成装置Ｇｋの接続されているネットワークを識別する画像形成ネットワーク識別情報を取得する（Ｓ２）。
【００９４】
印刷要求送信部９４は、画像形成ネットワーク識別情報とジョブ識別情報を付加した印刷要求であるジョブ取得要求（ジョブ引き取り）を、画像形成通信部９１を介してプリントサービス装置ＰＳへ送信する（Ｓ３、Ｓ４）。
【００９５】
プリントサービス装置ＰＳは、管理通信部８１が、ジョブ取得要求を受信すると（Ｓ５）、ジョブ選択部８６が、ジョブ識別情報と画像形成ネットワーク識別情報に基づいて、データ蓄積部８２から取得要求されている印刷ジョブを選択・取得する（Ｓ６、Ｓ７）。すなわち、ジョブ選択部８６は、ジョブ取得要求に第２のジョブ識別情報が付加されている場合は、該第２のジョブ識別情報と画像形成ネットワーク識別情報及び情報処理ネットワーク識別情報に基づいて印刷ジョブを選択する。また、ジョブ選択部８６は、ジョブ取得要求に第１のジョブ識別情報が付加されている場合は、該第１のジョブ識別情報に基づいて印刷ジョブを選択する。
【００９６】
ジョブ選択部８６が印刷ジョブを選択すると、ジョブ送信部８７が、該印刷ジョブをジョブ取得要求してきた画像形成装置Ｇｋへ管理通信部８１に送信させる（Ｓ８）。
【００９７】
画像形成装置Ｇｋは、プリントサービス装置ＰＳから印刷ジョブを受信すると（Ｓ８）、ジョブ実行部９５が、該印刷ジョブを実行して、印刷データと印刷設定に基づいて印刷出力する（Ｓ９）。
【００９８】
画像形成装置Ｇｋは、印刷ジョブの取得と印刷結果を、報知出力して処理を終了する。
【００９９】
そして、画像形成システム１は、上記印刷ジョブ選択処理を、図１３に示すように実行する。
【０１００】
画像形成システム１は、画像形成装置Ｇｋでジョブ取得要求が行われると、画像形成ネットワーク識別情報取得部９２が画像形成ネットワーク識別情報を取得し（ステップＳ１０１）、ユーザがジョブ識別情報を入力する（ステップＳ１０２）。このとき、ユーザは、画像形成装置Ｇｋがジョブ取得要求する印刷ジョブをアップロードしたクライアント端末ＣＬａ、ＣＬｂと同じネットワーク（例えば、ネットワークＮＷ１）に接続されていると、第２のジョブ識別情報を入力する。また、ユーザは、画像形成装置Ｇｋが該クライアント端末ＣＬａ、ＣＬｂと異なるネットワークに接続されていると、第１のジョブ識別情報を入力する。ユーザは、このジョブ識別情報の入力においては、ジョブ識別情報を記憶している可搬性記憶媒体Ｍｋを、用いて行ってもよい。
【０１０１】
画像形成装置Ｇｋは、取得した画像形成ネットワーク識別情報と、入力されたジョブ識別情報とを付加したジョブ取得要求をプリントサービス装置ＰＳへ送信する。
【０１０２】
プリントサービス装置ＰＳは、ジョブ選択部８６が、ジョブ取得要求に付加されているユーザの入力したジョブ識別情報が第２のジョブ識別情報であるかチェックする（ステップＳ１０３）。
【０１０３】
なお、ユーザの入力したジョブ識別情報が、第２のジョブ識別情報であるか否かの判定方法としては、以下のような方法がある。
【０１０４】
まず、第１の方法として、第１のジョブ識別情報及び第２のジョブ識別情報の桁数が、固定値（例えば、１３桁及び８桁）の場合に、入力されたジョブ識別情報の桁数が１３桁であるか８桁であるかに基づいて判定する方法がある。
【０１０５】
第２の方法として、入力されたジョブ識別情報が、所定の桁数以上であるか否かで判定する方法がある。
【０１０６】
なお、第１の方法と第２の方法においては、桁数だけではなく、例えば、文字列の長さに基づいて判定してもよい。
【０１０７】
第３の方法として、第１のジョブ識別情報に、「―（ハイフン）」が含まれ、第２のジョブ識別情報に、「―（ハイフン）」が含まれていない場合において、入力されたジョブ識別情報に、「―（ハイフン）」が含まれているか否かに基づいて判定する方法がある。
【０１０８】
第４の方法として、例えば、識別情報が、数字のみであるのか、英数字を含んでいるのか、すなわち、識別情報を構成する文字の種類の数に基づいて判定する方法がある。
【０１０９】
ステップＳ１０３で、ユーザの入力したジョブ識別情報が第２のジョブ識別情報であると（ステップＳ１０３で、ＹＥＳのとき）、ジョブ選択部８６は、第２のジョブ識別情報と画像形成ネットワーク識別情報及び情報処理ネットワーク識別情報に基づいて印刷ジョブを選択する（ステップＳ１０４）。
【０１１０】
ジョブ選択部８６は、選択した印刷ジョブをジョブ送信部８７に渡し、ジョブ送信部８７が、管理通信部８１を介して画像形成装置Ｇｋへ送信する（ステップＳ１０５）。
【０１１１】
ステップＳ１０３で、ユーザの入力したジョブ識別情報が第１のジョブ識別情報であると（ステップＳ１０３で、ＮＯのとき）、ジョブ選択部８６は、第１のジョブ識別情報に基づいて印刷ジョブを選択する（ステップＳ１０６）。
【０１１２】
ジョブ選択部８６は、選択した印刷ジョブをジョブ送信部８７に渡し、ジョブ送信部８７が、管理通信部８１を介して画像形成装置Ｇｋへ送信する（ステップＳ１０５）。
【０１１３】
なお、上記処理において、識別情報生成部８４は、第２のジョブ識別情報の生成においては、予め設定されている情報処理ネットワーク識別情報に基づいて、該第２のジョブ識別情報の生成の可否を制御してもよい。例えば、識別情報生成部８４は、印刷ジョブに付加されている情報処理ネットワーク識別情報が企業内ネットワークの情報処理ネットワーク識別情報以外であると、第２のジョブ識別情報を生成しないようにしてもよい。
【０１１４】
このようにすると、機密性の高い文書については、社内でのみ印刷可能とする等に制限することができ、印刷ジョブの機密性をより一層向上させることができる。
【０１１５】
また、画像形成システム１は、クライアント端末ＣＬａ、ＣＬｂが、情報を入力する入力デバイス２１で構築される入力部７５を備えている。クライアント端末ＣＬａ、ＣＬｂは、情報付加部（情報付加手段）７３が、該入力部７５から入力されたネットワーク識別情報をジョブ実行許可情報として印刷ジョブに付加する。プリントサービス装置ＰＳは、識別情報管理部８５が、ネットワーク識別情報を第２のジョブ識別情報と対応させて管理する。そして、ジョブ選択部８６は、管理通信部８１が画像形成装置Ｇｋから画像形成ネットワーク識別情報とジョブ識別情報の付加された印刷要求を受信すると、該画像形成装置ネットワーク識別情報がジョブ実行許可情報として付加されているネットワーク識別情報と一致すると、印刷ジョブを選択する。ジョブ選択部８６は、ネットワーク識別情報が一致しないと、その印刷ジョブを選択しない。
【０１１６】
このようにすると、例えば、指定された企業内ネットワーク等のネットワークの画像形成装置Ｇｋからのみ印刷ジョブを取得して印刷することを可能とすることができ、印刷ジョブの機密性を向上させることができる。
【０１１７】
さらに、クライアント端末ＣＬａ、ＣＬｂは、プリントサービス装置ＰＳへ送信する印刷ジョブの印刷出力を許可するネットワークを識別する印刷許可ネットワーク識別情報を、該印刷ジョブに付加して送信してもよい。
【０１１８】
この場合、クライアント端末ＣＬａ、ＣＬｂは、印刷ジョブの印刷を許可するネットワーク識別情報（印刷許可ネットワーク識別情報）を、入力デバイス２１から入力させる。クライアント端末ＣＬａ、ＣＬｂは、情報付加部７３が、入力された印刷許可ネットワーク識別情報を、印刷ジョブに付加してプリントサービス装置ＰＳへ送信する。この場合、印刷ジョブには、印刷許可ネットワーク識別情報と、クライアント端末ＣＬａ、ＣＬｂの接続されているネットワーク識別情報と、が付加されることになる。
【０１１９】
そして、プリントサービス装置ＰＳは、印刷許可ネットワーク識別情報の付加された印刷ジョブを受信すると、上述のように、識別情報生成部８４が第１のジョブ識別情報、第２の識別情報を生成する。プリントサービス装置ＰＳは、図１４に示すように、これら第１のジョブ識別情報、第２のジョブ識別情報、ネットワーク識別情報及び印刷許可ネットワーク識別情報を関連付けて印刷ジョブの蓄積パス（データパス）とともに、ジョブ管理テーブルとしてデータ蓄積部８２に蓄積する。
【０１２０】
プリントサービス装置ＰＳは、画像形成装置Ｇｋから該画像形成装置Ｇｋの接続されているネットワーク識別情報の付加されている印刷要求があると、ネットワーク識別情報に基づいて印刷可否を制御する。すなわち、プリントサービス装置ＰＳは、ジョブ選択部８６が、印刷要求のあった印刷ジョブの印刷許可ネットワーク識別情報と印刷要求のネットワーク識別情報が一致するか否か判断して、一致すると、該印刷ジョブを印刷対象の印刷ジョブとして選択する。ジョブ選択部８６は、一致しないと、該印刷ジョブの選択を拒否する。
【０１２１】
したがって、特定のネットワークに接続されている画像形成装置Ｇｋでのみ印刷を可能とすることができ、印刷ジョブの機密性をより一層向上させることができる。
【０１２２】
なお、上記説明においては、画像形成システム１は、図１では、公衆ネットワークＮＷＰを介してオフィスネットワークシステムＯＳとサービス提供ネットワークシステムＳＳが接続されている場合が示されている。画像形成システム１は、図１の構成に限るものではなく、例えば、図１５に示すような画像形成システム１ａにも同様に適用することができる。画像形成システム１ａは、ＬＡＮ等のネットワークＮＷａとネットワークＮＷｂがＬＡＮ等の企業ネットワークＮＷｃに接続されている。ネットワークＮＷａには、画像形成装置Ｇｋとクライアント端末ＣＬａが接続され、ネットワークＮＷｂにクライアント端末ＣＬｂが接続されている。画像形成システム１ａは、ネットワークＮＷｃに、プリントサービス装置ＰＳが接続されている。
【０１２３】
図１５の画像形成システム１ａにおいても、図１から図１３までの説明を、同様に適用することができる。
【０１２４】
このように、本実施例の画像形成システム１、1ａは、印刷ジョブ（ジョブ）を送信する情報処理装置であるクライアント端末ＣＬａ、ＣＬｂと、前記印刷ジョブを管理するジョブ管理装置であるプリントサービス装置ＰＳと、プリントサービス装置ＰＳから前記印刷ジョブを取得して実行する画像処理装置である画像形成装置Ｇｋが、それぞれ適宜のネットワークＮＷ１、ＮＷ２、ＮＷＰに接続されている画像処理システムであって、クライアント端末ＣＬａ、ＣＬｂは、プリントサービス装置ＰＳと通信する情報通信部（情報通信手段）７１と、自機の接続されているネットワークを識別する情報処理ネットワーク識別情報を取得する情報ネットワーク識別情報取得部（情報処理ネットワーク識別情報取得手段）７２と、前記情報処理ネットワーク識別情報と、前記印刷ジョブとを含む蓄積要求を前記情報通信部７１に前記プリントサービス装置ＰＳへ送信させる情報付加部７３と送信制御部７４からなる蓄積要求送信手段と、情報を出力する情報出力部（情報出力手段）７６と、前記情報通信部７１が、プリントサービス装置ＰＳへ送信した前記印刷ジョブを識別するためのジョブ識別情報を該プリントサービス装置ＰＳから受信すると、該ジョブ識別情報を前記情報出力部７６に出力させる情報出力制御部（情報出力制御手段）７７と、を備え、プリントサービス装置ＰＳは、クライアント端末ＣＬａ、ＣＬｂ及び画像形成装置Ｇｋと通信する管理通信部（管理通信手段）８１と、データを蓄積するデータ蓄積部（データ蓄積手段）８２と、管理通信部８１が前記印刷ジョブをクライアント端末ＣＬａ、ＣＬｂから受信すると、該印刷ジョブをデータ蓄積部８２へ蓄積する蓄積制御部（蓄積制御手段）８３と、前記印刷ジョブを識別する第１のジョブ識別情報と、該第１の識別情報よりも短く前記情報処理ネットワーク識別情報と組み合わされて該印刷ジョブを識別する第２のジョブ識別情報と、を生成する識別情報生成部（識別情報生成手段）８４と、前記第１のジョブ識別情報と前記第２のジョブ識別情報を前記管理通信部８１に前記印刷ジョブを送信してきたクライアント端末ＣＬａ、ＣＬｂへ送信させる識別情報管理部（識別情報管理手段）８５と、前記管理通信部８１が前記画像形成装置Ｇｋから該画像形成装置Ｇｋの接続されているネットワークを識別する画像形成ネットワーク識別情報（画像処理ネットワーク識別情報）と前記印刷ジョブを識別するジョブ識別情報を含む印刷要求（実行要求）を受信すると、該ジョブ識別情報が前記第１のジョブ識別情報と前記第２のジョブ識別情報のいずれであるかを判別し、該ジョブ識別情報または該ジョブ識別情報と該画像形成ネットワーク識別情報及び前記印刷要求において前記印刷ジョブに対応する前記情報処理ネットワーク識別情報に基づいて前記データ蓄積部８２から該印刷要求で指定されている印刷ジョブを選択するジョブ選択部（ジョブ選択手段）８６と、選択された前記印刷ジョブを前記管理通信部８１に、該印刷ジョブを要求してきた画像形成装置Ｇｋへ送信させるジョブ送信部（ジョブ送信手段）８７と、を備え、画像形成装置Ｇｋは、プリントサービス装置ＰＳと通信する画像形成通信部（画像処理通信手段）９１と、自機の接続されているネッ��ワークを識別する画像形成ネットワーク識別情報を取得する画像形成ネットワーク識別情報取得部（画像処理ネットワーク識別情報取得手段）９２と、情報を入力する情報入力部（情報入力手段）９３と、前記情報入力部９３から印刷対象（実行対象）の印刷ジョブを識別するジョブ識別情報を伴う印刷要求（実行要求）が入力されると、該ジョブ識別情報と前記画像形成ネットワーク識別情報とを含む印刷要求（実行要求）を前記画像形成通信部９１にプリントサービス装置ＰＳへ送信させる印刷要求送信部（ｊ一行要求送信手段）９４と、前記画像形成通信部９１が前記印刷ジョブをプリントサービス装置ＰＳから受信すると、該印刷ジョブを実行するジョブ実行部（ジョブ実行手段）９５と、を備えている。
【０１２５】
したがって、ネットワーク上のプリントサービス装置ＰＳに蓄積されている印刷ジョブを、第１のジョブ識別情報と第２のジョブ識別情報及び情報処理ネットワーク識別情報と画像形成ネットワーク識別情報に基づいて、取得することができる。その結果、ネットワーク上の印刷ジョブ（ジョブ）を、機密を確保しつつ、その利用性を向上させることができる。
【０１２６】
また、本実施例の画像形成システム１、１ａのプリントサービス装置ＰＳは、クライアント端末ＣＬａ、ＣＬｂから送られてくる該クライアント端末ＣＬａ、ＣＬｂの接続されているネットワークを識別するネットワーク識別情報の付加されている印刷ジョブ（ジョブ）を蓄積し、画像形成装置Ｇｋからの該印刷ジョブの取得要求に応じて印刷ジョブを送信するジョブ管理装置であって、クライアント端末ＣＬａ、ＣＬｂ及び画像形成装置Ｇｋと通信する管理通信部（管理通信手段）８１と、データを蓄積するデータ蓄積部（データ蓄積手段）８２と、管理通信部８１が前記印刷ジョブをプリントサービス装置ＰＳから受信すると、該印刷ジョブを前記データ蓄積部８２へ蓄積する蓄積制御部（蓄積制御手段）８３と、前記印刷ジョブを識別する第１のジョブ識別情報と、該第１の識別情報よりも短く前記情報処理ネットワーク識別情報と組み合わされて該印刷ジョブを識別する第２のジョブ識別情報と、を生成する識別情報生成部（識別情報生成手段）８４と、前記第１のジョブ識別情報と前記第２のジョブ識別情報を前記管理通信部８１に前記印刷ジョブを送信してきたクライアント端末ＣＬａ、ＣＬｂへ送信させる識別情報管理部（識別情報管理手段）８５と、前記管理通信部８１が画像形成装置Ｇｋから該画像形成装置Ｇｋの接続されているネットワークを識別する画像形成ネットワーク識別情報とジョブ識別情報を含む印刷要求を受信すると、該ジョブ識別情報が前記第１のジョブ識別情報と前記第２のジョブ識別情報のいずれであるかを判別し、該ジョブ識別情報または該ジョブ識別情報と該画像形成ネットワーク識別情報及び前記印刷ジョブに付加されている前記情報処理ネットワーク識別情報に基づいて前記データ蓄積部８２から該印刷要求で指定されている印刷ジョブを選択するジョブ選択部（ジョブ選択手段）８６と、選択された前記印刷ジョブを前記管理通信部８１に、該印刷ジョブを要求してきた画像形成装置Ｇｋへ送信させるジョブ送信部（ジョブ送信手段）８７と、を備えている。
【０１２７】
したがって、プリントサービス装置ＰＳは、蓄積している印刷ジョブを、第１のジョブ識別情報と第２のジョブ識別情報及び情報処理ネットワーク識別情報と画像形成ネットワーク識別情報に基づいて、提供することができる。その結果、ネットワーク上の印刷ジョブ（ジョブ）を、機密を確保しつつ、その利用性を向上させることができる。
【０１２８】
さらに、本実施例の画像形成システム１、１ａは、印刷ジョブ（ジョブ）を送信するクライアント端末（情報処理装置）ＣＬａ、ＣＬｂと、前記印刷ジョブを管理するプリントサービス装置（ジョブ管理装置）ＰＳと、前記プリントサービス装置ＰＳから前記印刷ジョブを取得して印刷（実行）する画像形成装置（画像処理装置）Ｇｋが、それぞれ適宜のネットワークに接続されている画像形成システムにおける画像処理方法であって、そのクライアント端末ＣＬａ、ＣＬｂが、プリントサービス装置ＰＳと通信する情報通信処理ステップと、自機の接続されているネットワークを識別する情報処理ネットワーク識別情報を取得する情報処理ネットワーク識別情報取得処理ステップと、前記情報処理ネットワーク識別情報と、前記印刷ジョブとを含む印刷要求（蓄積要求）を前記情報通信処理ステップでプリントサービス装置ＰＳへ送信させる蓄積要求送信処理ステップと、情報を出力する情報出力処理ステップと、前記情報通信処理ステップで、プリントサービス装置ＰＳへ送信した前記印刷ジョブを識別するためのジョブ識別情報を該プリントサービス装置ＰＳから受信されると、該ジョブ識別情報を前記情報出力処理ステップで出力させる情報出力制御処理ステップと、を実行し、そのプリントサービス装置ＰＳが、クライアント端末ＣＬａ、ＣＬｂ及び画像形成装置Ｇｋと通信する管理通信処理ステップと、データをデータ蓄積部８２へ蓄積するデータ蓄積処理ステップと、前記管理通信処理ステップで前記印刷ジョブをクライアント端末ＣＬａ、ＣＬｂから受信すると、該印刷ジョブを前記データ蓄積部８２へ蓄積する蓄積制御処理ステップと、前記印刷ジョブを識別する第１のジョブ識別情報と、前記情報処理ネットワーク識別情報と組み合わされて該印刷ジョブを識別する第２のジョブ識別情報と、を生成する識別情報生成処理ステップと、前記第１のジョブ識別情報と前記第２のジョブ識別情報を前記管理通信処理ステップで前記印刷ジョブを送信してきたクライアント端末ＣＬａ、ＣＬｂへ送信させる識別情報管理処理ステップと、前記管理通信処理ステップで画像形成装置Ｇｋから該画像形成装置Ｇｋの接続されているネットワークを識別する画像形成ネットワーク識別情報とジョブ識別情報を含む印刷要求が受信されると、該ジョブ識別情報が前記第１のジョブ識別情報と前記第２のジョブ識別情報のいずれであるかを判別し、該ジョブ識別情報または該ジョブ識別情報と該画像形成ネットワーク識別情報及び前記印刷ジョブに付加されている前記情報処理ネットワーク識別情報に基づいて前記データ蓄積部８２から該印刷要求で指定されている印刷ジョブを選択するジョブ選択処理ステップと、選択された前記印刷ジョブを前記管理通信処理ステップで、該印刷ジョブを要求してきた画像形成装置Ｇｋへ送信させるジョブ送信処理ステップと、を実行し、その画像形成装置Ｇｋが、プリントサービス装置ＰＳと通信する画像処理通信処理ステップと、自機の接続されているネットワークを識別する画像形成ネットワーク識別情報を取得する画像処理ネットワーク識別情報取得処理（画像形成ネットワーク識別情報取得処理）ステップと、情報を入力する情報入力処理ステップと、前記情報入力処理ステップで印刷対象（実行対象）の印刷ジョブを識別するジョブ識別情報を伴う印刷要求が入力されると、該ジョブ識別情報に前記画像形成ネットワーク識別情報を付加した印刷要求を前記画像処理通信処理ステップでプリントサービス装置ＰＳへ送信させる実行要求送信処理（印刷要求送信処理）ステップと、前記画像処理通信処理ステップで前記印刷ジョブをプリントサービス装置ＰＳから受信すると、該印刷ジョブを実行するジョブ実行処理ステップと、を実行する画像処理方法を実行する。
【０１２９】
したがって、ネットワーク上のプリントサービス装置ＰＳに蓄積されている印刷ジョブを、第１のジョブ識別情報と第２のジョブ識別情報及び情報処理ネットワーク識別情報と画像形成ネットワーク識別情報に基づいて、取得することができる。その結果、ネットワーク上の印刷ジョブを、機密を確保しつつ、その利用性を向上させることができる。
【０１３０】
また、本実施例の画像形成システム１、１ａは、クライアント端末ＣＬａ、ＣＬｂから送られてくる該クライアント端末ＣＬａ、ＣＬｂの接続されているネットワークを識別するネットワーク識別情報の付加されている印刷ジョブを蓄積し、画像形成装置Ｇｋからの該印刷ジョブの取得要求に応じて送信するプリントサービス装置ＰＳが、ＣＰＵ５１等の制御プロセッサに、クライアント端末ＣＬａ、ＣＬｂ及び画像形成装置Ｇｋと通信する管理通信処理と、データをデータ蓄積部８２へ蓄積するデータ蓄積処理と、前記管理通信処理で前記印刷ジョブをクライアント端末ＣＬａ、ＣＬｂから受信すると、該印刷ジョブを前記データ蓄積部８２へ蓄積する蓄積制御処理と、前記印刷ジョブを識別する第１のジョブ識別情報と、前記情報処理ネットワーク識別情報と組み合わされて該印刷ジョブを識別する第２のジョブ識別情報と、を生成する識別情報生成処理と、前記第１のジョブ識別情報と前記第２のジョブ識別情報を前記管理通信処理で前記印刷ジョブを送信してきたクライアント端末ＣＬａ、ＣＬｂへ送信させる識別情報管理処理と、前記管理通信処理で画像形成装置Ｇｋから該画像形成装置Ｇｋの接続されているネットワークを識別する画像形成ネットワーク識別情報とジョブ識別情報を含む印刷要求（実行要求）が受信されると、該ジョブ識別情報が前記第１のジョブ識別情報と前記第２のジョブ識別情報のいずれであるかを判別し、該ジョブ識別情報または該ジョブ識別情報と該画像形成ネットワーク識別情報及び前記印刷ジョブに付加されている前記情報処理ネットワーク識別情報に基づいて前記データ蓄積部８２から該印刷要求で指定されている印刷ジョブを選択するジョブ選択処理と、選択された前記印刷ジョブを前記管理通信処理で、該印刷ジョブを要求してきた画像形成装置Ｇｋへ送信させるジョブ送信処理と、を実行させるプログラムを搭載している。
【０１３１】
したがって、プリントサービス装置ＰＳは、蓄積している印刷ジョブを、第１のジョブ識別情報と第２のジョブ識別情報及び情報処理ネットワーク識別情報と画像形成ネットワーク識別情報に基づいて、提供することができる。その結果、ネットワーク上の印刷ジョブを、機密を確保しつつ、その利用性を向上させることができる。
【０１３２】
さらに、本実施例の画像形成システム１、１ａは、前記識別情報生成部８４が、予め設定されている前記情報処理ネットワーク識別情報に基づいて、前記第２のジョブ識別情報の生成の可否を制御する。
【０１３３】
したがって、機密性の高い文書については、社内でのみ印刷可能とする等に制限することができ、印刷ジョブの機密性を向上させることができる。
【０１３４】
また、本実施例の画像形成システム１、１ａは、クライアント端末ＣＬａ、ＣＬｂが、情報を入力する入力部（入力手段）７５を、さらに備え、前記情報付加部７３が、前記入力部７５から入力されたネットワーク識別情報をジョブ実行許可情報として前記印刷ジョブに付加し、プリントサービス装置ＰＳは、前記識別情報管理部８５が、前記ネットワーク識別情報を前記第２のジョブ識別情報と対応させて管理し、前記ジョブ選択部８６が、画像形成装置Ｇｋから前記画像形成ネットワーク識別情報（画像処理ネットワーク識別情報）とジョブ識別情報の付加された印刷要求を前記管理通信部８１が受信すると、該印刷要求で要求されている前記印刷ジョブの前記第２のジョブ識別情報に対応する前記ネットワーク識別情報が、該印刷ジョブに付加されている前記ジョブ実行許可情報のネットワーク識別情報と一致するときのみ、該印刷ジョブを選択する。
【０１３５】
したがって、指定された企業内ネットワーク等のネットワークの画像形成装置Ｇｋからのみ印刷ジョブを取得して印刷することを可能とすることができ、印刷ジョブの機密性を向上させることができる。
【０１３６】
さらに、本実施例の画像形成システム１、１ａは、前記識別情報生成部８４が、前記印刷ジョブに付加されている前記情報処理ネットワーク識別情報が、所定種類の識別情報以外であると、前記第１の識別情報のみを生成する。
【０１３７】
したがって、特定のネットワークに接続されている画像形成装置Ｇｋでのみ印刷を可能とすることができ、印刷ジョブの機密性をより一層向上させることができる。
【実施例２】
【０１３８】
図１６〜図３１は、本発明の画像処理システム、ジョブ管理装置、画像処理方法及びプログラムの第２実施例を示す図であり、図１６は、本発明の画像処理システム、ジョブ管理装置、画像処理方法及びプログラムの第２実施例を適用した画像形成システム１００の概略構成図である。
【０１３９】
なお、本実施例は、第１実施例の画像形成システム１と同様の画像形成システム１００に適用したものであり、本実施例の説明において、第１実施例と同様の構成部分には、同一の符号を付与して、その説明を省略または簡素化する。
【０１４０】
図１６において、画像形成システム１００は、オフィスネットワークシステムＯＳ２とサービス提供ネットワークシステムＳＳが公衆ネットワークＰＮＷにより接続されている。
【０１４１】
オフィスネットワークシステムＯＳは、第１実施例のオフィスネットワークシステムＯＳと同様の構成であるが、ネットワークＮＷ１に、クライアント端末ＣＬａ、画像形成装置Ｇｋ及びファイアウォールＦＷ以外に、印刷データ蓄積装置ＤＳが接続されている。
【０１４２】
印刷データ蓄積装置（蓄積装置）ＤＳは、通常のハードウェア構成及びソフトウェア構成のコンピュータ等が用いられており、プログラムとして、本発明の画像処理方法のうち、印刷データ蓄積装置ＤＳが実行するべき部分のプログラムを搭載している。
【０１４３】
印刷データ蓄積装置ＤＳは、プリントサービス装置ＰＳから送信されてくる印刷ジョブとジョブ識別情報を蓄積・管理し、画像形成装置Ｇｋからのジョブ要求に応じて、ジョブ識別情報に基づいて、印刷ジョブを提供する。
【０１４４】
印刷データ蓄積装置ＤＳは、図１７に示すように、ＣＰＵ１０１、ＲＯＭ１０２、ＲＡＭ１０３、不揮発性メモリ１０４、入力Ｉ／Ｆ１０５、出力Ｉ／Ｆ１０６及び通信Ｉ／Ｆ１０７等を備えており、各部は、バス１０８によって接続されている。
【０１４５】
ＲＯＭ１０２は、印刷データ蓄積装置ＤＳとしての基本プログラム、本発明の画像処理方法のうち印刷データ蓄積装置ＤＳで実行すべき部分のプログラム及びシステムデータ等を記憶している。
【０１４６】
ＲＡＭ１０３は、ＣＰＵ１０１のワークメモリとして利用されるとともに、各種データ等を記憶する。
【０１４７】
ＣＰＵ１０１は、ＲＯＭ１０２内のプログラムに基づいて、ＲＡＭ１０３をワークメモリとして利用して、印刷データ蓄積装置ＤＳの各部を制御して、印刷データ蓄積装置ＤＳとしての基本処理を実行する。また、ＣＰＵ１０１は、ＲＯＭ１０２内の本発明の画像処理方法のプログラムに基づいて、本発明の画像処理方法のうち、印刷データ蓄積装置ＤＳが実行すべき部分を実行する。
【０１４８】
不揮発性メモリ１０４は、ＳＳＤ、ハードディスク等の大容量の不揮発性メモリが用いられ、ＣＰＵ１０１の制御下で、印刷データ蓄積装置ＤＳの電源がオフのときにも記憶内容を保持するメモリである。不揮発性メモリ１０４は、印刷データ蓄積装置ＤＳの電源がオフのときにも記憶内容を保持する必要のあるデータとして、例えば、プリントサービス装置ＰＳから送信されてくる印刷ジョブ、ジョブ識別情報を、ＣＰＵ１０１の制御下で蓄積する。また、不揮発性メモリ１０４は、ＣＰＵ１０１の制御下で、画像形成装置Ｇｋからの印刷要求のジョブ識別情報で指定されている印刷ジョブを提供する。
【０１４９】
入力Ｉ／Ｆ１０５には、キーボード、マウス、スタイラスペン、タッチパネル等の入力デバイス１１１が接続され、入力Ｉ／Ｆ１０５は、入力デバイス１１１から入力される各種命令等をＣＰＵ１０１へ出力する。
【０１５０】
出力Ｉ／Ｆ１０６には、ディスプレイ、ランプ、スピーカ等の出力デバイス１１２が接続され、出力Ｉ／Ｆ１０６は、ＣＰＵ１０１の制御下で、出力デバイス１１２に表示データ、点滅データ、音声データ等の出力データを出力する。このディスプレイは、タッチパネル付きディスプレイが用いられていてもよい。
【０１５１】
通信Ｉ／Ｆ１０７は、ネットワークＮＷ１が接続され、ネットワークＮＷ１を介して画像形成装置ＧｋやファイアウォールＦＷ、公衆ネットワークＰＮＷ、アクセス制御装置ＡＳ、ネットワークＮＷ２を介してプリントサービス装置ＰＳと通信する。
【０１５２】
クライアント端末ＣＬａ、ＣＬｂ及び画像形成装置Ｇｋは、第１実施例と同様の構成である。ただし、クライアント端末ＣＬａ、ＣＬｂは、自機の接続されているネットワークＮＷ１、ＮＷＰに印刷データ蓄積装置ＤＳが接続されていると、印刷ジョブを該印刷データ蓄積装置ＤＳへ送信する。
【０１５３】
そして、印刷データ蓄積装置ＤＳは、クライアント端末ＣＬａ、ＣＬｂから印刷ジョブが送信されてくると、該印刷ジョブをプリントサービス装置ＰＳへ転送する。
【０１５４】
プリントサービス装置ＰＳは、印刷データ蓄積装置ＤＳから印刷ジョブが転送されてくると、該印刷ジョブに対して上記第１のジョブ識別情報と第２のジョブ識別情報を生成して、該ジョブ識別情報をクライアント端末ＣＬａ、ＣＬｂへ送信する。また、プリントサービス装置ＰＳは、生成したジョブ識別情報を印刷ジョブに付加して、ジョブ識別情報を付加した印刷ジョブを印刷データ蓄積装置ＤＳへ送信する。
【０１５５】
印刷データ蓄積装置ＤＳは、プリントサービス装置ＰＳから送信されてきたジョブ識別情報の付与されている印刷ジョブを不揮発性メモリ１０４に蓄積して管理する。
【０１５６】
また、画像形成装置Ｇｋは、自機の接続されているネットワークＮＷ１、ＮＷＰに印刷データ蓄積装置ＤＳが接続されていると、ジョブ識別情報及びネットワーク識別情報の付加された印刷要求を該印刷データ蓄積装置ＤＳへ行う。
【０１５７】
印刷データ蓄積装置ＤＳは、画像形成装置Ｇｋから印刷要求があると、該ジョブ識別情報に基づいて、または、該ジョブ識別情報とネットワーク識別情報に基づいて、印刷要求に係る印刷ジョブを選択する。印刷データ蓄積装置ＤＳは、選択した印刷ジョブを画像形成装置Ｇｋへ送信する。
【０１５８】
そして、画像形成システム１００は、上記ＲＯＭ、ＥＥＰＲＯＭ、ＥＰＲＯＭ、フラッシュメモリ、フレキシブルディスク、ＣＤ−ＲＯＭ、ＣＤ−ＲＷ、ＤＶＤ、ＵＳＢメモリ、ＳＤカード、ＭＯ等のコンピュータが読み取り可能な記録媒体に記録されている本発明の画像処理方法を実行するプログラムを読み込んでプリントサービス装置ＰＳのＲＯＭ５２、画像形成装置ＧｋのＲＯＭ４２、クライアント端末ＣＬａ、ＣＬｂのＲＯＭ１２及び印刷データ蓄積装置ＤＳのＲＯＭ１０２に導入することで、後述するネットワーク上の印刷ジョブを、機密を確保しつつ、その利用性を向上させる画像処理方法を実行する情報処理装置、画像形成装置、情報処理装置、蓄積装置及びこれらを備えた画像形成システムとして構築されている。この画像処理方法を実行するプログラムは、アセンブラ、Ｃ、Ｃ＋＋、Ｃ＃、Ｊａｖａ（登録商標）等のレガシープログラミング言語やオブジェクト指向プログラミング言語等で記述されたコンピュータ実行可能なプログラムであり、上記記録媒体に格納して頒布することができる。
【０１５９】
画像形成システム１００は、上記画像処理方法を実行するプログラムが導入されることで、図１８に示すような機能ブロックが構築される。なお、図１８の画像形成システム１００は、機能ブロックとしては、図５の第１実施例の画像形成システム１に印刷データ蓄積装置ＤＳが追加されたブロックとなっており、同様の構成部分には、同一の符号を付与している。
【０１６０】
すなわち、画像形成システム１００は、上記プログラムが導入されることで、図１８に示すように、図５と同様のクライアント端末ＣＬａ、ＣＬｂ、プリントサービス装置ＰＳ及び画像形成装置Ｇｋが構築される。そして、画像形成システム１００は、印刷データ蓄積装置ＤＳに、蓄積通信部１２１、転送部１２２、ジョブ蓄積部１２３、ジョブ蓄積制御部１２４、蓄積ジョブ選択部１２５及び蓄積ジョブ送信部１２６が構築される。また、プリントサービス装置ＰＳには、入出力部８８が構築される。
【０１６１】
このプリントサービス装置ＰＳの入出力部８８は、入力Ｉ／Ｆ５５、出力Ｉ／Ｆ５６、入力デバイス６１、出力デバイス６２及び通信Ｉ／Ｆ５８により構築される。入出力部８８は、情報の入力を受け付ける情報受付手段と、情報の出力を行う情報出力手段と、の機能を実行する。
【０１６２】
蓄積通信部１２１は、通信Ｉ／Ｆ１０７で構築されており、クライアント端末ＣＬａ、ＣＬｂ、プリントサービス装置ＰＳ及び画像形成装置Ｇｋと通信する。したがって、蓄積通信部１２１は、蓄積通信手段として機能している。
【０１６３】
転送部１２２は、ＣＰＵ１０１で構築されている。転送部１２２は、クライアント端末ＣＬａ、ＣＬｂからネットワーク識別情報の付加された印刷ジョブを蓄積通信部１２１が受信すると、該印刷ジョブを、該蓄積通信部１２１を介してプリントサービス装置ＰＳへ送信する。したがって、転送部１２２は、ジョブ転送手段として機能している。
【０１６４】
ジョブ蓄積部１２３は、不揮発性メモリ１０４で構築されており、ネットワーク識別情報及びジョブ識別情報と対応させて印刷ジョブを蓄積する。したがって、ジョブ蓄積部１２３は、ジョブ蓄積手段として機能している。
【０１６５】
ジョブ蓄積部１２３は、印刷ジョブに関連付けて、例えば、図１９に示すように、ＩＤ、データパス及び第２のジョブ識別情報を、蓄積ジョブ管理テーブルとして蓄積する。ジョブ蓄積部１２３は、図１９のデータパスで示されている格納場所に、ＩＤの付与された印刷ジョブを蓄積している。なお、図示しないが、ジョブ蓄積部１２３は、印刷ジョブとともに、該印刷ジョブを送信してきたクライアント端末ＣＬａ、ＣＬｂの接続されているネットワークを識別するネットワーク識別情報（情報処理ネットワーク識別情報）が一緒に蓄積されている。
【０１６６】
ジョブ蓄積制御部１２４は、プリントサービス装置ＰＳからジョブ識別情報の付与された印刷ジョブを蓄積通信部１２１が受信すると、該印刷ジョブジョブをジョブ蓄積部１２３へ蓄積させる。したがって、ジョブ蓄積制御部１２４は、蓄積制御手段として機能している。
【０１６７】
蓄積ジョブ選択部１２５は、蓄積通信部１２１が画像形成装置Ｇｋから該画像形成装置Ｇｋの接続されているネットワークを識別する画像形成ネットワーク識別情報とジョブ識別情報を含む印刷要求を受信すると、該ジョブ識別情報が第１のジョブ識別情報と第２のジョブ識別情報のいずれであるかを判別する。蓄積ジョブ選択部１２５は、該ジョブ識別情報または該ジョブ識別情報と該画像形成ネットワーク識別情報及び印刷ジョブに付加されている情報処理ネットワーク識別情報に基づいてジョブ蓄積部１２３から該印刷要求で指定されている印刷ジョブを選択する。したがって、蓄積ジョブ選択部１２５は、蓄積ジョブ選択手段として機能している。
【０１６８】
蓄積ジョブ送信部１２６は、選択された印刷ジョブを蓄積通信部１２１に、印刷要求（ジョブ取得要求）してきた画像形成装置Ｇｋへ送信させる。したがって、蓄積ジョブ送信部１２６は、蓄積ジョブ送信手段として機能している。
【０１６９】
次に、本実施例の作用を説明する。本実施例の画像形成システム１００は、クライアント端末ＣＬａ、ＣＬｂのネットワークに印刷データ蓄積装置ＤＳが接続されている場合に、該ネットワーク上の印刷ジョブを、機密を確保しつつ、その利用性を向上させる。
【０１７０】
すなわち、本実施例の画像形成システム１００は、図２０に示すように、ユーザが、例えば、クライアント端末ＣＬａ、ＣＬｂのウェブブラウザを用いて印刷ジョブのアップロード（投入）を行う（Ｓ１）。
【０１７１】
このとき、クライアント端末ＣＬａ、ＣＬｂは、情報処理ネットワーク識別情報取得部７２が自機の接続されているネットワークを識別する情報処理ネットワーク識別情報を取得し、情報付加部７３が印刷ジョブに情報処理ネットワーク識別情報を付加する（Ｓ２）。
【０１７２】
そして、クライアント端末ＣＬａ、ＣＬｂは、印刷ジョブの送信に際して、情報通信部７１が、自機の接続されているネットワークＮＷ１、ＮＷＰに、印刷データ蓄積装置ＤＳが接続されているか否か判断して、印刷ジョブの送信先を決定する。
【０１７３】
すなわち、情報通信部７１は、同じネットワークＮＷ１、ＮＷＰに印刷データ蓄積装置ＤＳが接続されていると、情報処理ネットワーク識別情報の付加された印刷ジョブを、該印刷データ蓄積装置ＤＳへ送信する（Ｓ３−１）。
【０１７４】
印刷データ蓄積装置ＤＳの蓄積通信部１２１は、クライアント端末ＣＬａ、ＣＬｂから印刷ジョブを受信すると、そのまま、該印刷ジョブをプリントサービス装置ＰＳへ転送する（Ｓ３−２）。
【０１７５】
プリントサービス装置ＰＳは、送信されてきた印刷ジョブを受信すると、蓄積制御部８３へ渡す（Ｓ３−３）。プリントサービス装置ＰＳは、蓄積制御部８３がデータ蓄積部８２へ蓄積するとともに、識別情報生成部８４が、ジョブ識別情報を生成してデータ蓄積部８２へ保管する（Ｓ３−４、Ｓ３−５）。このとき、識別情報生成部８４は、受信した印刷ジョブを一意に識別する第１のジョブ識別情報と、該印刷ジョブに付加されている情報処理ネットワーク識別情報と関連付けることで該印刷ジョブを識別する第２のジョブ識別情報を生成する。蓄積制御部８３は、この第１のジョブ識別情報と第２のジョブ識別情報を、該印刷ジョブ及び次情報処理ネットワーク識別情報と関連付けて、例えば、図８または図９に示したようなジョブ管理テーブルとしてデータ蓄積部８２に保管する。
【０１７６】
プリントサービス装置ＰＳは、ジョブ識別情報を生成すると、識別情報管理部８５が、第１のジョブ識別情報と第２のジョブ識別情報を、ジョブ識別情報として、印刷ジョブを送信してきた印刷データ蓄積装置ＤＳへ送信する（Ｓ３−６）。
【０１７７】
印刷データ蓄積装置ＤＳは、プリントサービス装置ＰＳから印刷ジョブとジョブ識別情報を受信すると、ジョブ蓄積制御部１２４が、上記図１９に示した蓄積ジョブ管理テーブル等の形式で印刷ジョブとジョブ識別情報をジョブ蓄積部１２３へ蓄積する（Ｓ３−７）。また、印刷データ蓄積装置ＤＳは、プリントサービス装置ＰＳから印刷ジョブとジョブ識別情報を受信すると、転送部１２２が、ジョブ識別情報を、印刷ジョブを送信してきたクライアント端末ＣＬａ、ＣＬｂへ蓄積通信部１２１に送信させる（Ｓ−８）。
【０１７８】
一方、クライアント端末ＣＬａ、ＣＬｂの情報通信部７１は、同じネットワークＮＷ１、ＮＷＰに印刷データ蓄積装置ＤＳが接続されていないと、情報処理ネットワーク識別情報の付加された印刷ジョブを、プリントサービス装置ＰＳへ送信する（Ｓ４−１）。
【０１７９】
プリントサービス装置ＰＳは、上記第１実施例の場合と同様に、印刷ジョブへのジョブ識別情報の生成・付与（Ｓ４−２、Ｓ４−３）、データ蓄積部８２への蓄積、及び、ジョブ識別情報のクライアント端末ＣＬａ、ＣＬｂへの送信を行う（Ｓ４−５）。
【０１８０】
なお、画像形成システム１００は、上記印刷ジョブの蓄積において、図２１に示すように、ユーザが印刷ジョブを印刷データ蓄積装置ＤＳへ蓄積するか否かを選択可能としてもよい。図２１では、アップロードファイル入力欄、参照ボタン、ローカルキャッシュのＹＥＳ、ＮＯの選択ボタン及びアップロードボタンが示されており、このローカルキャッシュが、印刷データ蓄積装置ＤＳへの印刷ジョブの蓄積の有無を選択するものである。
【０１８１】
このようにすると、ユーザが同一ネットワーク内で印刷する場合は、印刷データ蓄積装置ＤＳ、外部で印刷する場合はプリントサービス装置ＰＳと使い分けをできる。したがって、無駄に印刷ジョブが印刷データ蓄積装置ＤＳに蓄積されることを抑制することができ、印刷データ蓄積装置ＤＳの不揮発性メモリ１０４を削減してコストを削減することができるとともに、利用性を向上させることができる。
【０１８２】
そして、印刷ジョブのアップロードに成功したユーザは、図２２に示すように、印刷出力を行わせたい画像形成装置Ｇｋへ移動して、情報入力部９３からジョブ識別情報（ジョブ識別情報）を入力する（Ｓ１）。このジョブ識別情報の入力においては、画像形成装置Ｇｋは、情報入力部９３を構築する操作表示部３２のディスプレイに、例えば、図１２に示したようなジョブ識別情報入力画面Ｇ３を表示する。ユーザは、ジョブ識別情報入力画面Ｇ３のジョブ識別情報入力欄に、第１のジョブ識別情報または第２のジョブ識別情報を入力して、印刷ボタンを操作する。
【０１８３】
画像形成装置Ｇｋは、ジョブ識別情報が入力されて印刷ボタンが操作されると、印刷要求送信部９４が、画像形成ネットワーク識別情報取得部９２から画像形成装置Ｇｋの接続されているネットワークを識別する画像形成ネットワーク識別情報を取得する（Ｓ２）。
【０１８４】
印刷要求送信部９４は、画像形成ネットワーク識別情報とジョブ識別情報を付加したジョブ取得要求（ジョブ引き取り）を、画像形成通信部９１へ要求する（Ｓ３）。
【０１８５】
画像形成通信部９１は、自機の接続されているネットワークＮＷ１に印刷データ蓄積装置ＤＳが接続されていると、ジョブ取得要求（印刷要求）を印刷データ蓄積装置ＤＳへ送信する（Ｓ４−１）。
【０１８６】
印刷データ蓄積装置ＤＳは、蓄積通信部１２１がジョブ取得要求を受信すると、ジョブ蓄積部１２３から要求された印刷ジョブを選択して、画像形成装置Ｇｋへ送信する（Ｓ４−２）。印刷データ蓄積装置ＤＳは、この印刷ジョブの選択を、蓄積ジョブ選択部１２５が行い、蓄積ジョブ装填部１０６が、選択された印刷ジョブを蓄積通信部１２１に、ジョブ取得要求してきた画像形成装置Ｇｋへ送信させる。
【０１８７】
また、画像形成通信部９１は、自機の接続されているネットワークＮＷ１に印刷データ蓄積装置ＤＳが接続されていないと、ジョブ取得要求（印刷要求）をプリントサービス装置ＰＳへ送信する（Ｓ５−１）。
【０１８８】
プリントサービス装置ＰＳは、第１実施例の場合と同様に、管理通信部８１が、ジョブ取得要求を受信すると（Ｓ５−２）、ジョブ選択部８６が、ジョブ識別情報と画像形成ネットワーク識別情報に基づいて、データ蓄積部８２から取得要求されている印刷ジョブを選択・取得する（Ｓ５−３、Ｓ５−４）。
【０１８９】
ジョブ選択部８６が印刷ジョブを選択すると、ジョブ送信部８７が、該印刷ジョブをジョブ取得要求してきた画像形成装置Ｇｋへ管理通信部８１に送信させる（Ｓ５−５）。
【０１９０】
画像形成装置Ｇｋは、印刷データ蓄積装置ＤＳまたはプリントサービス装置ＰＳから印刷ジョブを受信すると、ジョブ実行部９５が、該印刷ジョブを実行して、印刷データと印刷設定に基づいて印刷出力する（Ｓ６）。
【０１９１】
なお、本実施例の画像形成システム１００は、印刷データ蓄積装置ＤＳに蓄積した印刷データについては、蓄積期間を限定し、予め設定されている所定時間、または、印刷ジョブで指定されている所定時間経過すると、削除するようにしてもよい。
【０１９２】
すなわち、基本的に、同一ネットワーク内で印刷する印刷ジョブは、印刷データ蓄積装置ＤＳへアップロードされた後、速やかに印刷が行われることが多い。ところが、アップロードされても所定時間以上印刷が実行されない印刷ジョブは、異なるネットワークの画像形成装置Ｇｋで印刷されることも多い。
【０１９３】
したがって、印刷データ蓄積装置ＤＳは、ジョブ蓄積制御部１２４が、ジョブ蓄積部１２３へ蓄積した印刷ジョブの蓄積時間を管理し、蓄積時間が所定時間以上経過しても印刷されなかった印刷ジョブを、ジョブ蓄積部１２３から削除するようにしてもよい。
【０１９４】
このようにすると、印刷データ蓄積装置ＤＳの不揮発性メモリ１０４の容量を削減し、コストを低減することができるとともに、長期間印刷ジョブを保管することによるセキュリティ上のリスクを削減することができる。
【０１９５】
そして、上記図２２では、画像形成装置Ｇｋの接続されているネットワークに、印刷データ蓄積装置ＤＳが接続されており、該印刷データ蓄積装置ＤＳにユーザが印刷対象とする印刷ジョブが蓄積されている場合が示されている。
【０１９６】
ところが、該印刷データ蓄積装置ＤＳが画像形成装置と同一のネットワークに存在しないことも想定される。
【０１９７】
この場合、画像形成システム１００は、図２３に示すように、画像形成装置Ｇｋがプリントサービス装置ＰＳへアクセスして、プリントサービス装置ＰＳから印刷対象の印刷ジョブを取得する。
【０１９８】
すなわち、図２３に示すように、ユーザは、印刷出力を行わせたい画像形成装置Ｇｋへ移動して、情報入力部９３からジョブ識別情報（ジョブ識別情報）を入力する（Ｓ１）。  画像形成装置Ｇｋは、ジョブ識別情報が入力されて印刷ボタンが操作されると、印刷要求送信部９４が、画像形成ネットワーク識別情報取得部９２から画像形成装置Ｇｋの接続されているネットワークを識別する画像形成ネットワーク識別情報を取得する（Ｓ２）。
【０１９９】
印刷要求送信部９４は、画像形成ネットワーク識別情報とジョブ識別情報を付加したジョブ取得要求（ジョブ引き取り）を、画像形成通信部９１へ要求する（Ｓ３）。
【０２００】
画像形成通信部９１は、自機の接続されているネットワークＮＷ１に印刷データ蓄積装置ＤＳが接続されていると、ジョブ取得要求（印刷要求）を印刷データ蓄積装置ＤＳへ送信する（Ｓ４−１）。
【０２０１】
印刷データ蓄積装置ＤＳは、蓄積通信部１２１がジョブ取得要求を受信すると、ジョブ蓄積部１２３から要求された印刷ジョブを探して、存在していると、該印刷ジョブを選択して、画像形成装置Ｇｋへ送信するが、存在しないときにはその旨を返す（Ｓ４−２）。
【０２０２】
画像形成装置Ｇｋは、印刷データ蓄積装置ＤＳに印刷対象の印刷ジョブが存在しないと、ジョブ取得要求（印刷要求）をプリントサービス装置ＰＳへ送信する（Ｓ５−１）。
【０２０３】
プリントサービス装置ＰＳは、第１実施例の場合と同様に、管理通信部８１が、ジョブ取得要求を受信すると（Ｓ５−２）、ジョブ選択部８６が、ジョブ識別情報と画像形成ネットワーク識別情報に基づいて、データ蓄積部８２から取得要求されている印刷ジョブを選択・取得する（Ｓ５−３、Ｓ５−４）。
【０２０４】
ジョブ選択部８６が印刷ジョブを選択すると、ジョブ送信部８７が、該印刷ジョブをジョブ取得要求してきた画像形成装置Ｇｋへ管理通信部８１に送信させる（Ｓ５−５）。
【０２０５】
また、画像形成通信部９１は、自機の接続されているネットワークＮＷ１に印刷データ蓄積装置ＤＳが接続されていないと、ジョブ取得要求（印刷要求）をプリントサービス装置ＰＳへ送信する（Ｓ６−１）。
【０２０６】
プリントサービス装置ＰＳは、第１実施例の場合と同様に、管理通信部８１が、ジョブ取得要求を受信すると（Ｓ６−２）、ジョブ選択部８６が、ジョブ識別情報と画像形成ネットワーク識別情報に基づいて、データ蓄積部８２から取得要求されている印刷ジョブを選択・取得する（Ｓ６−３、Ｓ６−４）。
【０２０７】
ジョブ選択部８６が印刷ジョブを選択すると、ジョブ送信部８７が、該印刷ジョブをジョブ取得要求してきた画像形成装置Ｇｋへ管理通信部８１に送信させる（Ｓ６−５）。
【０２０８】
画像形成装置Ｇｋは、プリントサービス装置ＰＳから印刷ジョブを受信すると、ジョブ実行部９５が、該印刷ジョブを実行して、印刷データと印刷設定に基づいて印刷出力する（Ｓ７）。
【０２０９】
このようにすると、印刷データ蓄積装置ＤＳの存在していないネットワークの画像形成装置Ｇｋからも、印刷ジョブをプリントサービス装置ＰＳから取得して印刷することができ、利用性を向上させることができる。
【０２１０】
画像形成システム１００は、上記説明においては、クライアント端末ＣＬａ、ＣＬｂと同じネットワークの印刷データ蓄積装置ＤＳへ印刷ジョブを蓄積しているが、印刷ジョブの蓄積先の印刷データ蓄積装置ＤＳは、上記の場合に限るものではない。例えば、クライアント端末ＣＬａ、ＣＬｂは、印刷ジョブのアップロードに際してユーザの指定に応じて蓄積先を受け付け、指定されたネットワークの印刷データ蓄積装置ＤＳへ印刷ジョブを送信し、その後の処理を、上記同様に行ってもよい。
【０２１１】
このようにすると、印刷ジョブを印刷する画像形成装置Ｇｋが予め決まっているときには、印刷ジョブを作成したクライアント端末ＣＬａ、ＣＬｂと印刷先の画像形成装置Ｇｋとが異なるネットワークに接続されている場合においても、利用性を向上させることができる。
【０２１２】
さらに、画像形成システム１００は、プリントサービス装置ＰＳに送った印刷ジョブに対して、第２のジョブ識別情報を、追加、変更等の編集を可能としてもよい。
【０２１３】
この場合、プリントサービス装置ＰＳは、外部からの第１のジョブ識別情報による印刷ジョブを指定したジョブ取得要求を受け付ける要求受付機能部、該ジョブ取得要求に応じて、その印刷ジョブを提示するジョブ提示機能部、利用可能なネットワーク識別情報を提示するネットワーク識別情報提示機能部、印刷ジョブのネットワーク識別情報変更指示受付機能部、変更指示に基づく印刷ジョブのネットワーク識別情報変更機能部を備えている。
【０２１４】
プリントサービス装置ＰＳは、上記要求受付機能部を、例えば、通信Ｉ／Ｆ５８で構築される管理通信部８１、または、入出力部８８のうち、入力デバイス６１、入力Ｉ／Ｆ５５、出力デバイス６２、出力Ｉ／Ｆ５６で新たに構築される入出力部８８で実行する。なお、管理通信部８１が要求受付機能部として機能を実行する場合には、クライアント端末ＣＬａ、ＣＬｂ等からジョブ取得要求を受け付ける。また、入力デバイス６１等で構築される入出力部８８が要求受付機能部として機能を実行する場合には、ユーザがプリントサービス装置ＰＳの出力デバイス６２を見ながら入力デバイス６１の操作を受け付けることになる。
【０２１５】
プリントサービス装置ＰＳは、ジョブ提示機能部を、例えば、蓄積制御部８３と管理通信部８１、または、蓄積制御部８３と出力Ｉ／Ｆ５６及び出力デバイス６２が実行する。なお、蓄積制御部８３と管理通信部８１がジョブ提示機能部として機能を実行する場合には、クライアント端末ＣＬａ、ＣＬｂ等へウェブブラウザ等を利用して印刷ジョブを提示する。また、出力デバイス６２等がジョブ提示機能部として機能を実行する場合には、出力デバイス６２のディスプレイ等に印刷ジョブを提示する。
【０２１６】
プリントサービス装置ＰＳは、ネットワーク識別情報提示機能部を、例えば、蓄積制御部８３と管理通信部８１、または、蓄積制御部８３と出力Ｉ／Ｆ５６等からなる入出力部８８が実行する。なお、識別情報管理部８５と管理通信部８１がネットワーク識別情報提示機能部として機能を実行する場合には、クライアント端末ＣＬａ、ＣＬｂ等へウェブブラウザ等を利用して利用可能なネットワーク識別情報をデータ蓄積部８２から読み出して提示する。また、出力デバイス６２等からなる入出力部８８がネットワーク識別情報提示機能部として機能を実行する場合には、出力デバイス６２のディスプレイ等に利用可能なネットワーク識別情報をデータ蓄積部８２から読み出して提示する。
【０２１７】
プリントサービス装置ＰＳは、ネットワーク識別情報変更指示受付機能部を、例えば、入出力部８８の一部をなす管理通信部８１、または、入力デバイス６１等からなう入出力部８８で実行する。なお、管理通信部８１がネットワーク識別情報変更指示受付機能部として機能を実行する場合には、クライアント端末ＣＬａ、ＣＬｂ等からネットワーク識別情報変更指示を受け付ける。また、入力デバイス６１等からなる入出力部８８がネットワーク識別情報変更指示受付機能部として機能を実行する場合には、ユーザがプリントサービス装置ＰＳの出力デバイス６２を見ながらの入力デバイス６１からのネットワーク識別情報の変更入力操作を受け付けることになる。
【０２１８】
プリントサービス装置ＰＳは、ネットワーク識別情報変更機能部を、例えば、識別情報管理部８５が実行する。すなわち、識別情報管理部８５は、ネットワーク識別情報変更指示受付機能部が受け付けたネットワーク識別情報変更内容で、データ蓄積部８２の該当する印刷ジョブのネットワーク識別情報変更内容を更新する。
【０２１９】
すなわち、例えば、図２４に示すように、第２のジョブ識別情報更新処理を行う。なお、図２４では、入出力部８８の一部である管理通信部８１が処理する場合について示しているが、入力デバイス６１等からなる入出力部８８が処理する場合も同様である。図２４において、プリントサービス装置ＰＳは、クライアント端末ＣＬａ、ＣＬｂを使用して、ユーザからの第１のジョブ識別情報を付加したジョブ情報取得要求を管理通信部８１が受信する（Ｓ１）。
【０２２０】
この場合、クライアント端末ＣＬａ、ＣＬｂの操作表示部３２には、例えば、図２５に示すような第１のジョブ識別情報の入力を求めるジョブ識別情報変更要求画面Ｇ４を表示する。ユーザは、該ジョブ識別情報変更要求画面Ｇ４の第１のジョブ識別情報入力欄に、変更を要求する印刷ジョブを特定する第１のジョブ識別情報を入力して、「ＯＫ」ボタンを操作する。クライアント端末ＣＬａ、ＣＬｂは、入力された第１のジョブ識別情報を付加したジョブ情報取得要求をプリントサービス装置ＰＳへ送信する。
【０２２１】
プリントサービス装置ＰＳは、ジョブ情報取得要求に付加されている第１のジョブ識別情報に該当する印刷ジョブをデータ蓄積部８２から取得する（Ｓ２）。また、プリントサービス装置ＰＳは、データ蓄積部８２から利用可能なネットワーク識別情報の一覧を取得し（Ｓ３）、クライアント端末ＣＬａ、ＣＬｂへ送信して表示させることでユーザに提示する。
【０２２２】
ユーザは、印刷ジョブとネットワーク識別情報一覧から、該印刷ジョブの出力先として意図するネットワークのネットワーク識別情報を変更先ネットワーク識別情報として指定する。このとき、クライアント端末ＣＬａ、ＣＬｂの操作表示部３２に、例えば、図２６に示すようなネットワークＩＤを求めるジョブ情報変更入力画面Ｇ５を表示する。ジョブ情報変更入力画面Ｇ５には、「ネットワークＩＤを選択して下さい」の文言と、上記ユーザが入力した第１のジョブ識別情報、第２のジョブ識別情報の現在の状態及びネットワークＩＤの選択欄と「ＯＫ」ボタンが表示されている。
【０２２３】
ユーザは、ネットワークＩＤ選択欄で、一覧表示されている画像形成システム１００で利用可能なネットワークＩＤから意図するネットワークのネットワークＩＤを選択して、「ＯＫ」ボタンを操作する。
【０２２４】
クライアント端末ＣＬａ、ＣＬｂは、選択されたネットワークＩＤ（ネットワーク識別情報）をプリントサービス装置ＰＳへ渡す。
【０２２５】
プリントサービス装置ＰＳは、ネットワーク識別情報の指定を受け取ると（Ｓ４）、識別情報管理部８５が該指定のネットワーク識別情報に基づいて、該印刷ジョブに対して第２のジョブ識別情報を生成する（Ｓ５）。
【０２２６】
蓄積制御部８３は、生成された第２のジョブ識別情報で、データ蓄積部８２の対応する印刷ジョブの第２のジョブ識別情報を更新する（Ｓ６）。
【０２２７】
プリントサービス装置ＰＳは、第２のジョブ識別情報の更新が完了すると、クライアント端末ＣＬａ、ＣＬｂまたは入出力部へジョブ識別情報変更完了通知を送信して、例えば、図２７に示すようなジョブ識別情報変更完了画面Ｇ６を、表示させる。なお、ジョブ識別情報変更完了画面Ｇ６では、第２のジョブ識別情報が変更された旨と、第２のジョブ識別情報、第１のジョブ識別情報及び「ＯＫ」ボタンが表示されている。
【０２２８】
このようにすると、外部ネットワークから投入したジョブや、他のネットワークに属する画像形成装置Ｇｋで印刷したい場合等において、印刷先の画像形成装置Ｇｋの属するネットワーク識別情報に登録変更することで、利用性を向上させることができる。すなわち、長い第１のジョブ識別情報を、入力が比較的難しい画像形成装置Ｇｋの操作表示部３２で行うことなく、入力が容易なクライアント端末ＣＬａ、ＣＬｂやプリントサービス装置ＰＳで、ネットワーク識別情報を変更することで対応することができる。その結果、利用性を向上させることができる。
【０２２９】
また、画像形成システム１、１ａ、１００は、クライアント端末ＣＬａ、ＣＬｂから印刷ジョブを電子メールで送信してもよい。クライアント端末ＣＬａ、ＣＬｂは、送信制御部７４が、電子メールに印刷ジョブを添付するとともに、印刷出力先の画像形成装置Ｇｋを宛先メールアドレスに指定して、情報通信部７１にプリントサービス装置ＰＳまたは印刷データ蓄積装置ＤＳへ送信させる。
【０２３０】
そして、プリントサービス装置ＰＳは、データ蓄積部８２が、例えば、図２８に示すようなメールアドレス管理テーブルを蓄積している。メールアドレス管理テーブルは、ＩＤに対応させて、メールアドレスと該メールアドレスのドメインの存在するネットワーク識別情報が登録されている。
【０２３１】
プリントサービス装置ＰＳは、電子メールで印刷ジョブが送られてくると、該電子メールの宛先メールアドレスに対応するネットワーク識別情報をデータ蓄積部８２から取得して、識別情報生成部８４に渡す。
【０２３２】
識別情報生成部８４は、宛先メールアドレスに対応するネットワーク識別情報に基づいて、第１のジョブ識別情報と第２のジョブ識別情報を生成する。
【０２３３】
すなわち、この場合、例えば、図２９に示すように、ユーザが、クライアント端末ＣＬａ、ＣＬｂを操作して電子メールに印刷ジョブを添付し（Ｓ１）、情報通信部７１がプリントサービス装置ＰＳへ電子メールを送信する（Ｓ２）。そして、ユーザは、該電子メールの宛先メールアドレスに、印刷ジョブを印刷させる画像形成装置Ｇｋのドメインを設定する。なお、図２９では、クライアント端末ＣＬａ、ＣＬｂから直接プリントサービス装置ＰＳへ電子メールで印刷ジョブを送信しているが、印刷データ蓄積装置ＤＳを経由させてプリントサービス装置ＰＳへ送信してもよい。
【０２３４】
プリントサービス装置ＰＳは、管理通信部８１が印刷ジョブの添付されている電子メールを受信すると、該電子メールを蓄積制御部８３へ渡す（Ｓ３）。次に、蓄積制御部８３は、宛先メールアドレスに基づいて、データ蓄積部８２のメールアドレス管理テーブルを参照して、ネットワーク識別情報を取得する（Ｓ４）。
【０２３５】
プリントサービス装置ＰＳは、識別情報生成部８４が、ネットワーク識別情報に基いて、第１のジョブ識別情報と第２のジョブ識別情報を生成する（Ｓ５）。
【０２３６】
蓄積制御部８３は、印刷ジョブと第１のジョブ識別情報及び第２のジョブ識別情報を対応させて、データ蓄積部８２へ蓄積する（Ｓ６）。
【０２３７】
識別情報管理部８５は、第１のジョブ識別情報及び第２のジョブ識別情報を、管理通信部８１を介してクライアント端末ＣＬａ、ＣＬｂへ送信する。
【０２３８】
このようにすると、印刷出力する画像形成装置Ｇｋが属しているネットワークが決まっている場合に（レンタルオフィス等）、予めそのレンタルオフィス等を宛先メールアドレスとする電子メールに印刷ジョブを添付してプリントサービス装置ＰＳ等に送信する。したがって、利用性を向上させることができる。
【０２３９】
さらに、画像形成システム１００は、印刷データ蓄積装置ＤＳが、適時にプリントサービス装置ＰＳから、印刷データ蓄積装置ＤＳに蓄積されていない印刷ジョブを取得して蓄積するようにしてもよい。
【０２４０】
この場合、印刷データ蓄積装置ＤＳは、ジョブ蓄積制御部１２４が、適宜のタイミングで、ジョブ蓄積部１２３に蓄積されている印刷ジョブとプリントサービス装置ＰＳに蓄積されている印刷ジョブを比較する。ジョブ蓄積制御部１２４は、プリントサービス装置ＰＳに蓄積されているが、ジョブ蓄積部１２３に蓄積されていない印刷ジョブを取得して、ジョブ蓄積部１２３へ蓄積する。
【０２４１】
すなわち、画像形成システム１００は、図３０に示すように、図２９の電子メールによる印刷ジョブの手順で、印刷ジョブがプリントサービス装置ＰＳに蓄積される（Ｓ１〜Ｓ７）。
【０２４２】
印刷データ蓄積装置ＤＳは、適宜のタイミングに、ジョブ蓄積制御部１２４が、蓄積通信部１２１を介してプリントサービス装置ＰＳに、蓄積されている印刷ジョブを問い合わせる印刷ジョブ検索要求を行う（Ｓ１１）。この適宜のタイミングとしては、例えば、所定時間毎、プリントサービス装置ＰＳから所定数の印刷ジョブを蓄積した旨の通知を受ける毎等である。
【０２４３】
プリントサービス装置ＰＳは、印刷ジョブ検索要求を受信すると、蓄積制御部８３がデータ蓄積部８２に蓄積されている印刷ジョブを検索し、蓄積印刷ジョブの一覧情報を生成して、管理通信部８１から印刷データ蓄積装置ＤＳへ送信する。
【０２４４】
印刷データ蓄積装置ＤＳは、蓄積通信部１２１が蓄積印刷ジョブ一覧を受信すると、ジョブ蓄積制御部１２４が、ジョブ蓄積部１２３に蓄積されている印刷ジョブを検索する。ジョブ蓄積制御部１２４は、蓄積印刷ジョブ一覧に載っているがジョブ蓄積部１２３に蓄積されていない未蓄積印刷ジョブを調査する（Ｓ１２）。
【０２４５】
ジョブ蓄積制御部１２４は、未蓄積印刷ジョブが存在すると、該未蓄積印刷ジョブの取得要求を、蓄積通信部１２１を介して、プリントサービス装置ＰＳへ行う（Ｓ１３）。
【０２４６】
プリントサービス装置ＰＳは、未蓄積印刷ジョブ取得要求があると、蓄積制御部８３が該取得要求に係る印刷ジョブをデータ蓄積部８２から取得して、管理通信部８１を介して印刷データ蓄積装置ＤＳへ送信する。
【０２４７】
印刷データ蓄積装置ＤＳは、プリントサービス装置ＰＳから未蓄積印刷ジョブが送信されてくると、ジョブ蓄積制御部１２４が、該未蓄積印刷ジョブをジョブ蓄積部１２３へ蓄積する（Ｓ１４）。
【０２４８】
なお、図３０では、プリントサービス装置ＰＳへの印刷ジョブの蓄積を電子メールを用いて行っているが、電子メールを用いた場合に限るものではない。
【０２４９】
このようにすると、例えば、外部ネットワークから投入された印刷ジョブや、印刷データ蓄積装置ＤＳから削除された印刷ジョブを、印刷データ蓄積装置ＤＳに取り寄せて、近くの画像形成装置Ｇｋで印刷することができ、利用性を向上させることができる。
【０２５０】
また、プリントサービス装置ＰＳ、印刷データ蓄積装置ＤＳは、印刷ジョブの印刷条件を、ネットワーク識別情報、第１のジョブ識別情報及び第２のジョブ識別情報に対応させて管理してもよい。
【０２５１】
この場合、例えば、プリントサービス装置ＰＳは、データ蓄積部８２に、また、印刷データ蓄積装置ＤＳは、ジョブ蓄積部１２３に、図３１に示すような識別情報対応印刷条件テーブルを記憶する。
【０２５２】
この識別情報対応印刷条件テーブルは、ＩＤに対応して、ネットワーク識別情報（情報処理ネットワーク識別情報）、第１のジョブ識別情報印刷条件、第２のジョブ識別情報印刷条件が、登録されている。図３１では、ＩＤが「１」に対して、ネットワーク識別情報として、「８０９０３７７」が、第１のジョブ識別情報印刷条件として、「カラー、片面」が、第２のジョブ識別情報印刷条件として、「モノクロ、両面」が登録されている。
【０２５３】
そして、ジョブ選択部８６、及び、蓄積ジョブ選択部１２５は、画像形成ネットワーク識別情報とジョブ識別情報を含む印刷要求を受信すると、該ジョブ識別情報が第１のジョブ識別情報と第２のジョブ識別情報のいずれであるかを判別し、該ジョブ識別情報または該ジョブ識別情報と該画像形成ネットワーク識別情報及び印刷ジョブに付加されている情報処理ネットワーク識別情報に基づいて該印刷要求で指定されている印刷ジョブを選択する。さらに、ジョブ選択部８６、及び、蓄積ジョブ選択部１２５は、画像形成装置Ｇｋからの印刷要求に付加されている画像形成ネットワーク識別情報と、ジョブ識別情報が第１のジョブ識別情報と第２のジョブ識別情報のいずれであるかに基づいて、印刷条件を決定する。
【０２５４】
ジョブ選択部８６、及び、蓄積ジョブ選択部１２５は、選択した印刷ジョブに決定した印刷条件を付加して、画像形成装置Ｇｋへ送信する。
【０２５５】
このようにすると、例えば、第２のジョブ識別情報で識別される社内からの印刷であれば、カラーで印刷、第１のジョブ識別情報で識別される外部からの印刷であれば、モノクロ印刷というように印刷条件を分けることができる。その結果、印刷ジョブの機密性を向上させつつ、利用性とコスト管理性を向上させることができる。
【０２５６】
このように、本実施例の画像形成システム１００は、前記印刷ジョブを蓄積する印刷データ蓄積装置（蓄積装置）ＤＳを、さらに備え、クライアント端末ＣＬａ、ＣＬｂは、前記送信制御部７４が、自装置の接続されているネットワークに印刷データ蓄積装置ＤＳが接続されていると、該印刷データ蓄積装置ＤＳへ前記印刷ジョブを送信し、画像形成装置Ｇｋは、前記印刷要求送信部９４が、自装置の接続されているネットワークに印刷データ蓄積装置ＤＳが接続されていると、該印刷データ蓄積装置ＤＳへ前記印刷要求を送信し、プリントサービス装置ＰＳは、前記管理通信部８１が印刷データ蓄積装置ＤＳから印刷ジョブを受信すると、前記識別情報生成部８４が該印刷ジョブに対して前記第１のジョブ識別情報と前記第２のジョブ識別情報を生成し、前記識別情報管理部８５が、該印刷ジョブに第１のジョブ識別情報と該第２のジョブ識別情報を付加して、該印刷データ蓄積装置ＤＳへ該管理通信部８１に送信させ、印刷データ蓄積装置ＤＳは、クライアント端末ＣＬａ、ＣＬｂ、プリントサービス装置ＰＳ及び画像形成装置Ｇｋと通信する蓄積通信部（蓄積通信手段）１２１と、クライアント端末ＣＬａ、ＣＬｂから前記ネットワーク識別情報の付加された前記印刷ジョブを前記蓄積通信部１２１が受信すると、該印刷ジョブを、該蓄積通信部１２１を介してプリントサービス装置ＰＳへ送信し、該プリントサービス装置ＰＳから前記ジョブ識別情報の付与された該印刷ジョブを該蓄積通信部１２１が受信すると、該ジョブ識別情報を、該印刷ジョブを送信してきた該クライアント端末ＣＬａ、ＣＬｂへ該蓄積通信部１２１に送信させる転送部（転送手段）１２２と、前記印刷ジョブを蓄積するジョブ蓄積部（ジョブ蓄積手段）１２３と、プリントサービス装置ＰＳから前記ジョブ識別情報の付与された前記印刷ジョブを前記蓄積通信部１２１が受信すると、該印刷ジョブを前記ジョブ蓄積部１２３へ蓄積させるジョブ蓄積制御部（ジョブ蓄積制御手段）１２４と、前記蓄積通信部１２１が画像形成装置Ｇｋから前記画像形成ネットワーク識別情報（画像処理ネットワーク識別情報）と前記ジョブ識別情報の付加された印刷要求を受信すると、該ジョブ識別情報が前記第１のジョブ識別情報と前記第２のジョブ識別情報のいずれであるかを判別し、該ジョブ識別情報または該ジョブ識別情報と該画像形成ネットワーク識別情報及び前記印刷ジョブに付加されている前記情報処理ネットワーク識別情報に基づいて前記ジョブ蓄積部１２３から該印刷要求で指定されている印刷ジョブを選択する蓄積ジョブ選択部（蓄積ジョブ選択手段）１２５と、選択された前記印刷ジョブを前記蓄積通信部１２１に画像形成装置Ｇｋへ送信させる蓄積ジョブ送信部（蓄積ジョブ送信手段）１２６と、を備えている。
【０２５７】
したがって、頻繁に印刷を行うネットワーク内に、印刷データ蓄積装置ＤＳを設置することで、印刷性能を向上させることができるとともに、プリントサービス装置ＰＳの負荷を抑制することができる。その結果、ネットワーク上の印刷ジョブを、より一層機密を確保しつつ、その利用性をより一層向上させることができる。
【０２５８】
また、本実施例の画像形成システム１００は、印刷データ蓄積装置ＤＳの前記ジョブ蓄積制御部１２４が、前記ジョブ蓄積部１２３に蓄積した前記印刷ジョブの蓄積時間を管理し、蓄積時間が所定の蓄積限度時間に到達すると、該印刷ジョブを該ジョブ蓄積部１２３から削除する。
【０２５９】
したがって、長時間印刷データ蓄積装置ＤＳに印刷ジョブが蓄積されている状態を回避することができ、印刷ジョブの機密性をより一層向上させることができるとともに、印刷データ蓄積装置ＤＳのジョブ蓄積部１２３の容量を削減することができる。
【０２６０】
さらに、本実施例の画像形成システム１００は、画像形成装置Ｇｋの印刷要求送信部９４が、前記画像形成通信部９１に、前記印刷要求を自装置が接続されているネットワークに接続されている印刷データ蓄積装置ＤＳへ送信させ、該印刷データ蓄積装置ＤＳに印刷要求に係る前記印刷ジョブが不存在であると、該印刷要求を前記プリントサービス装置ＰＳへ送信させる。
【０２６１】
したがって、印刷データ蓄積装置ＤＳの印刷ジョブが削除された場合にも、印刷ジョブをプリントサービス装置ＰＳから取得して印刷することができ、利用性を向上させることができる。
【０２６２】
また、本実施例の画像形成システム１００は、クライアント端末ＣＬａ、ＣＬｂが、前記入力部７５により前記印刷ジョブの印刷データ蓄積装置ＤＳへの蓄積を拒否する非蓄積操作が行われると、前記情報付加部７３が、該印刷ジョブの該蓄積装置への非蓄積を示す非蓄積情報を該印刷ジョブに付加し、プリントサービス装置ＰＳは、前記識別情報管理部８５が、前記非蓄積情報の付加された前記印刷ジョブに対しては、該印刷ジョブの印刷データ蓄積装置ＤＳへの送信を中止する。
【０２６３】
したがって、印刷ジョブを印刷する画像形成装置Ｇｋが予め決まっているときには、印刷ジョブを作成したクライアント端末ＣＬａ、ＣＬｂと印刷先の画像形成装置Ｇｋとが異なるネットワークに接続されている場合においても、利用性を向上させることができる。
【０２６４】
さらに、本実施例の画像形成システム１００は、クライアント端末ＣＬａ、ＣＬｂが、前記入力部７５で、前記印刷ジョブを実行させる画像形成装置Ｇｋが指定されると、前記情報付加部７３が、指定されている実行先の画像形成装置Ｇｋの接続されているネットワークの前記画像形成ネットワーク識別情報を該印刷ジョブに付加し、プリントサービス装置ＰＳは、印刷データ蓄積装置ＤＳから送られてきた前記印刷ジョブに前記画像形成ネットワーク識別情報が付与されていると、前記識別情報管理部８５が、前記第１のジョブ識別情報と前記第２のジョブ識別情報の付加された該印刷ジョブを、該印刷データ蓄積装置ＤＳと該画像形成ネットワーク識別情報の示すネットワークに接続されている前記印刷データ蓄積装置ＤＳへ前記管理通信部８１に送信させる。
【０２６５】
したがって、印刷ジョブを印刷する画像形成装置Ｇｋが予め決まっているときには、印刷ジョブを作成したクライアント端末ＣＬａ、ＣＬｂと印刷先の画像形成装置Ｇｋとが異なるネットワークに接続されている場合においても、利用性を向上させることができる。
【０２６６】
また、本実施例の画像形成システム１００は、プリントサービス装置ＰＳが、情報の入力を受け付ける情報受付手段と、情報の出力を行う情報出力手段と、を構築する入出力部８８を、さらに備え、前記データ蓄積部８２は、画像形成システム１００において、利用可能なネットワークのネットワーク識別情報の一覧情報を記憶し、前記蓄積制御部８３は、前記ネットワーク識別情報の一覧情報を前記入出力部８８に出力させ、該ネットワーク識別情報の一覧情報に基づいて、前記入出力部８８が受け付けた前記データ蓄積部８２に蓄積されている前記印刷ジョブに対するネットワーク識別情報の付与、変更を受け付けると、該受け付け情報に基づいて、該印刷ジョブについてネットワーク識別情報の付加、変更を行う。
【０２６７】
したがって、外部ネットワークから投入したジョブや、他のネットワークに属する画像形成装置Ｇｋで印刷したい場合等において、印刷先の画像形成装置Ｇｋの属するネットワーク識別情報に登録変更することで、利用性を向上させることができる。
【０２６８】
さらに、本実施例の画像形成システム１００は、クライアント端末ＣＬａ、ＣＬｂの前記送信制御部７４が、前記印刷ジョブを電子メールで前記情報通信部７１に送信させ、前記プリントサービス装置ＰＳは、前記識別情報生成部８４が、前記電子メールで送信されてきた前記印刷ジョブの該電子メールのドメインに基づいて、前記第１のジョブ識別情報と前記第２のジョブ識別情報を生成する。
【０２６９】
したがって、電子メールを利用して、印刷ジョブを蓄積して、印刷ジョブの機密性をより一層向上させることができるとともに、印刷データ蓄積装置ＤＳのジョブ蓄積部１２３の容量を削減することができる。
【０２７０】
また、本実施例の画像形成システム１００は、クライアント端末ＣＬａ、ＣＬｂの前記送信制御部７４が、印刷先の画像形成装置Ｇｋを宛先メールアドレスとする電子メールで、前記印刷ジョブを前記情報通信部７１に送信させ、プリントサービス装置ＰＳは、前記データ蓄積部８２が、ネットワーク識別情報とメールアドレスを対応させて記憶し、前記識別情報生成部８４が、前記電子メールで送信されてきた前記印刷ジョブの該電子メールの前記宛先メールアドレスに対応するネットワーク識別情報を前記データ蓄積部８２から取得し、該ネットワーク識別情報に基づいて、前記第１のジョブ識別情報と前記第２のジョブ識別情報を生成する。
【０２７１】
したがって、印刷出力する画像形成装置Ｇｋが属しているネットワークが決まっている場合に（レンタルオフィス等）、予めそのレンタルオフィス等を宛先メールアドレスとする電子メールに印刷ジョブを添付してプリントサービス装置ＰＳ等に送信する。したがって、利用性を向上させることができる。
【０２７２】
さらに、本実施例の画像形成システム１００は、前記印刷データ蓄積装置ＤＳの前記ジョブ蓄積制御部１２４が、所定間隔で、前記蓄積通信部１２１に前記プリントサービス装置ＰＳと通信させ、該プリントサービス装置ＰＳの前記データ蓄積部８２に格納されている前記印刷ジョブのうち、該印刷データ蓄積装置ＤＳのジョブ蓄積部１２３に非蓄積の印刷ジョブを取得する。
【０２７３】
したがって、例えば、外部ネットワークから投入された印刷ジョブや、印刷データ蓄積装置ＤＳから削除された印刷ジョブを、印刷データ蓄積装置ＤＳに取り寄せて、近くの画像形成装置Ｇｋで印刷することができ、利用性を向上させることができる。
【０２７４】
また、本実施例の画像形成システム１００は、前記データ蓄積部８２及び前記ジョブ蓄積部１２３が、前記ネットワーク識別情報に関連付けて印刷条件を記憶し、前記ジョブ選択部８６及び前記蓄積ジョブ選択部１２５が、前記データ蓄積８２またはジョブ蓄積部１２３に蓄積されている前記印刷ジョブに対して、該印刷ジョブに付加されている前記ネットワーク識別情報に基づいて印刷条件を設定する。
【０２７５】
したがって、ネットワーク毎に、予め設定した印刷条件で印刷ジョブの印刷を行うことができ、印刷ジョブの機密性を向上させつつ、利用性とコスト管理性を向上させることができる。
【０２７６】
さらに、本実施例の画像形成システム１００は、前記データ蓄積部８２及び前記ジョブ蓄積部１２３が、前記ネットワーク識別情報毎に、前記第１のジョブ識別情報と前記第２の識別情報に対応させてそれぞれ前記印刷条件を記憶し、前記ジョブ選択部８６及び前記蓄積ジョブ選択部１２５は、前記データ蓄積部８２または前記ジョブ蓄積部１２３に蓄積されている前記印刷ジョブに対して、該印刷ジョブに付加されている前記ネットワーク識別情報と前記第１のジョブ識別情報及び前記第２の識別情報に基づいて印刷条件を設定する。
【０２７７】
したがって、例えば、第２のジョブ識別情報で識別される社内からの印刷であれば、カラーで印刷、第１のジョブ識別情報で識別される外部からの印刷であれば、モノクロ印刷というように印刷条件を分けることができる。その結果、印刷ジョブの機密性を向上させつつ、利用性とコスト管理性を向上させることができる。
【０２７８】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【０２７９】
例えば、上記実施形態においては、画像処理システムの動作説明において、画像処理装置である画像形成装置Ｇｋが、ジョブ管理装置であるプリントサービス装置ＰＳに蓄積された印刷ジョブを取得し、取得した印刷ジョブを実行する場合を例に挙げて説明した。本発明は、上記挙げた例に限るものではない。例えば、画像処理システムは、画像データをジョブとしてジョブ管理装置に蓄積し、投影装置（プロジェクタ）や表示装置（マルチメディアボード）等の画像処理装置が、ジョブ管理装置に蓄積されている画像データを取得して、取得した該画像データを投影・表示するシステムであってもよい。
【符号の説明】
【０２８０】
１、１ａ  画像形成システム
ＯＳ  オフィスネットワークシステム
ＳＳ  サービス提供ネットワークシステム
ＮＷＰ  公衆ネットワーク
ＣＬａ、ＣＬｂ  クライアント端末
ＮＷ１  ネットワーク
Ｇｋ  画像形成装置
ＦＷ  ファイアウォール
１１  ＣＰＵ
１２  ＲＯＭ
１３  ＲＡＭ
１４  不揮発性メモリ
１５  入力Ｉ／Ｆ
１６  出力Ｉ／Ｆ
１７  外部Ｉ／Ｆ
１８  通信Ｉ／Ｆ
１９  バス
２１  入力デバイス
２２  出力デバイス
Ｍｋ  可搬性記憶媒体
３０  コントローラ
３１  エンジン部
３２  操作表示部
４１  ＣＰＵ
４２  ＲＯＭ
４３  ＲＡＭ
４４  不揮発性メモリ
４５  ネットワークＩ／Ｆ
４６  エンジンＩ／Ｆ
４７  操作表示Ｉ／Ｆ
４８  外部Ｉ／Ｆ
４９  バス
５１  ＣＰＵ
５２  ＲＯＭ
５３  ＲＡＭ
５４  不揮発性メモリ
５５  入力Ｉ／Ｆ
５６  出力Ｉ／Ｆ
５７  外部Ｉ／Ｆ
５８  通信Ｉ／Ｆ
５９  バス
６１  入力デバイス
６２  出力デバイス
７１  情報通信部
７２  情報処理ネットワーク識別情報取得部
７３  情報付加部
７４  送信制御部
７５  入力部
７６  情報出力部
７７  情報出力制御部
８１  管理通信部
８２  データ蓄積部
８３  蓄積制御部
８４  識別情報生成部
８５  識別情報管理部
８６  ジョブ選択部
８７  ジョブ送信部
８８  入出力部
９１  画像形成通信部
９２  画像形成ネットワーク識別情報取得部
９３  情報入力部
９４  印刷要求送信部
９５  ジョブ実行部
Ｇ１  アップロード画面
Ｇ２  アップロード結果表示画面
Ｇ３  ジョブ識別情報入力画面
１００  画像形成システム
ＯＳ２  オフィスネットワークシステム
ＤＳ  印刷データ蓄積装置
１０１  ＣＰＵ
１０２  ＲＯＭ
１０３  ＲＡＭ
１０４  不揮発性メモリ
１０５  入力Ｉ／Ｆ
１０６  出力Ｉ／Ｆ
１０７  通信Ｉ／Ｆ
１０８  バス
１１１  入力デバイス
１２１  出力デバイス
１２１  蓄積通信部
１２２  転送部
１２３  ジョブ蓄積部
１２４  ジョブ蓄積制御部
１２５  蓄積ジョブ選択部
Ｇ３  ジョブ識別情報入力画面
Ｇ４  ジョブ識別情報変更要求画面
Ｇ５  ジョブ情報変更入力画面
Ｇ６  ジョブ識別情報変更完了画面
【先行技術文献】
【特許文献】
【０２８１】
【特許文献１】特開２０１５−０５６１６８号公報
【図１】
2017130124.tif 000003
【図２】
2017130124.tif 000004
【図３】
2017130124.tif 000005
【図４】
2017130124.tif 000006
【図５】
2017130124.tif 000007
【図６】
2017130124.tif 000008
【図７】
2017130124.tif 000009
【図８】
2017130124.tif 000010
【図９】
2017130124.tif 000011
【図１０】
2017130124.tif 000012
【図１１】
2017130124.tif 000013
【図１２】
2017130124.tif 000014
【図１３】
2017130124.tif 000015
【図１４】
2017130124.tif 000016
【図１５】
2017130124.tif 000017
【図１６】
2017130124.tif 000018
【図１７】
2017130124.tif 000019
【図１８】
2017130124.tif 000020
【図１９】
2017130124.tif 000021
【図２０】
2017130124.tif 000022
【図２１】
2017130124.tif 000023
【図２２】
2017130124.tif 000024
【図２３】
2017130124.tif 000025
【図２４】
2017130124.tif 000026
【図２５】
2017130124.tif 000027
【図２６】
2017130124.tif 000028
【図２７】
2017130124.tif 000029
【図２８】
2017130124.tif 000030
【図２９】
2017130124.tif 000031
【図３０】
2017130124.tif 000032
【図３１】
2017130124.tif 000033